(57)【特許請求の範囲】
【請求項１】
所定の遊技用価値を用いて１回の遊技に対して複数の掛け数を設定可能な掛け数設定手段と、
前記掛け数設定手段により複数の掛け数が設定されたことに基づいて、１回の遊技を実行することが可能な遊技実行手段と、
前記掛け数設定手段により設定された掛け数を表示可能な表示手段と、
遊技進行に係る制御を行う遊技制御手段と、
遊技進行に伴う演出の制御を行う演出制御手段と、
を備えた遊技機において、
前記遊技制御手段は、
前記表示手段とは別に設けられ、前記掛け数設定手段により設定された掛け数を表示可能な特定表示手段を制御するとともに、
前記掛け数設定手段と、
前記遊技実行手段と、
前記掛け数設定手段により設定された掛け数に関する掛け数情報を送信可能な送信手段と、
を備え、
前記演出制御手段は、
前記表示手段を制御するとともに、前記送信手段から送信された掛け数情報を受信可能な受信手段を備え、
前記表示手段は、
前記掛け数設定手段により掛け数が設定されていない場合、掛け数が設定されていないことを示す第１表示を行うことが可能であり、
前記掛け数設定手段により複数の掛け数が設定されたことに基づいて、前記第１表示から、少なくとも当該複数の掛け数よりも少ない特定掛け数が設定されたことを示す第２表示に表示態様を変更した後に、当該複数の掛け数が設定されたことを示す第３表示に表示態様を変更する演出である特別演出を実行可能であり、
前記特別演出実行中に、前記遊技機への電力供給が停止されたことに基づいて、前記特別演出を中断し、
前記特別演出が中断された後に、前記遊技機への電力供給が開始されたことに基づいて、中断した前記特別演出を、前記第３表示から復旧させることが可能である
ことを特徴とする遊技機。
【請求項２】
所定の遊技用価値を用いて１回の遊技に対して複数の掛け数を設定可能な掛け数設定手段と、
前記掛け数設定手段により複数の掛け数が設定されたことに基づいて、１回の遊技を実行することが可能な遊技実行手段と、
前記掛け数設定手段により設定された掛け数を表示可能な表示手段と、
遊技進行に係る制御を行う遊技制御手段と、
遊技進行に伴う演出の制御を行う演出制御手段と、
を備えた遊技機において、
前記遊技制御手段は、
前記表示手段とは別に設けられ、前記掛け数設定手段により設定された掛け数を表示可能な特定表示手段を制御するとともに、
前記掛け数設定手段と、
前記遊技実行手段と、
前記掛け数設定手段により設定された掛け数に関する掛け数情報を送信可能な送信手段と、
を備え、
前記演出制御手段は、
前記表示手段を制御するとともに、前記送信手段から送信された掛け数情報を受信可能な受信手段を備え、
前記表示手段は、
前記掛け数設定手段により掛け数が設定されていない場合、掛け数が設定されていないことを示す第１表示を行うことが可能であり、
前記掛け数設定手段により複数の掛け数が設定されたことに基づいて、前記第１表示から、少なくとも当該複数の掛け数よりも少ない特定掛け数が設定されたことを示す第２表示に表示態様を変更した後に、当該複数の掛け数が設定されたことを示す第３表示に表示態様を変更する演出である特別演出を実行可能であり、
前記特別演出実行中に、前記遊技機への電力供給が停止されたことに基づいて、前記特別演出を中断し、
前記特別演出が中断された後に、前記遊技機への電力供給が開始されたことに基づいて、中断した前記特別演出を、前記第１表示から復旧させることが可能である
ことを特徴とする遊技機。
【発明の詳細な説明】
【技術分野】
【０００１】
本発明は、遊技球、メダルなどの所定の遊技用価値を用いて設定された掛け数を表示可能な表示手段を備えた遊技機に関する。
【背景技術】
【０００２】
この種の遊技機として、スロットマシンがある。スロットマシンは、ベッドボタンなどの掛け数設定ボタンの押下操作に基づいて掛け数が設定されたときに、掛け数を識別可能に表示する掛け数表示ランプを備えている。掛け数表示ランプは、ＬＥＤなどの表示手段から構成され、ＬＥＤの点灯個数等により、掛け数が識別可能に表示される。
【０００３】
また、このようなスロットマシンは、電力供給の絶たれた電断時において電断前の状態を保持可能に構成され、復旧後は電断前の状態から復旧することができるようになっている（例えば、特許文献１）。
【先行技術文献】
【特許文献】
【０００４】
【特許文献１】特開２０１４−３０６１９号公報
【発明の概要】
【発明が解決しようとする課題】
【０００５】
ところが、このような従来の遊技機には、改善の余地があった。
【課題を解決するための手段】
【０００６】
上記課題を解決するため、本発明の遊技機は、所定の遊技用価値を用いて１回の遊技に対して複数の掛け数を設定可能な掛け数設定手段と、前記掛け数設定手段により複数の掛け数が設定されたことに基づいて、１回の遊技を実行することが可能な遊技実行手段と、前記掛け数設定手段により設定された掛け数を表示可能な表示手段と、遊技進行に係る制御を行う遊技制御手段と、遊技進行に伴う演出の制御を行う演出制御手段と、を備えた遊技機において、前記遊技制御手段は、前記表示手段とは別に設けられ、前記掛け数設定手段により設定された掛け数を表示可能な特定表示手段を制御するとともに、前記掛け数設定手段と、前記遊技実行手段と、前記掛け数設定手段により設定された掛け数に関する掛け数情報を送信可能な送信手段と、を備え、前記演出制御手段は、前記表示手段を制御するとともに、前記送信手段から送信された掛け数情報を受信可能な受信手段を備え、前記表示手段は、前記掛け数設定手段により掛け数が設定されていない場合、掛け数が設定されていないことを示す第１表示を行うことが可能であり、前記掛け数設定手段により複数の掛け数が設定されたことに基づいて、前記第１表示から、少なくとも当該複数の掛け数よりも少ない特定掛け数が設定されたことを示す第２表示に表示態様を変更した後に、当該複数の掛け数が設定されたことを示す第３表示に表示態様を変更する演出である特別演出を実行可能であり、前記特別演出実行中に、前記遊技機への電力供給が停止されたことに基づいて、前記特別演出を中断し、前記特別演出が中断された後に、前記遊技機への電力供給が開始されたことに基づいて、中断した前記特別演出を、前記第３表示から復旧させることが可能である構成としてある。
【０００７】
また、上記課題を解決するため、本発明の遊技機は、所定の遊技用価値を用いて１回の遊技に対して複数の掛け数を設定可能な掛け数設定手段と、前記掛け数設定手段により複数の掛け数が設定されたことに基づいて、１回の遊技を実行することが可能な遊技実行手段と、前記掛け数設定手段により設定された掛け数を表示可能な表示手段と、遊技進行に係る制御を行う遊技制御手段と、遊技進行に伴う演出の制御を行う演出制御手段と、を備えた遊技機において、前記遊技制御手段は、前記表示手段とは別に設けられ、前記掛け数設定手段により設定された掛け数を表示可能な特定表示手段を制御するとともに、前記掛け数設定手段と、前記遊技実行手段と、前記掛け数設定手段により設定された掛け数に関する掛け数情報を送信可能な送信手段と、を備え、前記演出制御手段は、前記表示手段を制御するとともに、前記送信手段から送信された掛け数情報を受信可能な受信手段を備え、前記表示手段は、前記掛け数設定手段により掛け数が設定されていない場合、掛け数が設定されていないことを示す第１表示を行うことが可能であり、前記掛け数設定手段により複数の掛け数が設定されたことに基づいて、前記第１表示から、少なくとも当該複数の掛け数よりも少ない特定掛け数が設定されたことを示す第２表示に表示態様を変更した後に、当該複数の掛け数が設定されたことを示す第３表示に表示態様を変更する演出である特別演出を実行可能であり、前記特別演出実行中に、前記遊技機への電力供給が停止されたことに基づいて、前記特別演出を中断し、前記特別演出が中断された後に、前記遊技機への電力供給が開始されたことに基づいて、中断した前記特別演出を、前記第１表示から復旧させることが可能である構成としてある。
【図面の簡単な説明】
【０００８】
【図１】遊技機の外観を示す概略正面図である。
【図２】遊技機の内部構成を示す概略斜視図である。
【図３】遊技機の制御構成を示すブロック図である。
【図４】通常時における掛け数表示ランプとライン数表示ランプの点灯制御の流れを示すフローチャートである。
【図５】電断及び復旧時における掛け数表示ランプとライン数表示ランプの点灯制御の流れを示し、ライン数表示ランプの表示態様をＬＥＤの点灯個数が「０」から順次増加する「特別演出」から復旧させるときの一制御例を示すフローチャートである。
【図６】電断及び復旧時における掛け数表示ランプとライン数表示ランプの点灯制御の流れを示し、ライン数表示ランプの表示態様をＬＥＤの点灯個数が「０」から順次増加する「特別演出」から復旧させるときの他の制御例を示すフローチャートである。
【図７】電断及び復旧時における掛け数表示ランプとライン数表示ランプの点灯制御の流れを示し、ライン数表示ランプの表示態様をＬＥＤの点灯個数が設定掛け数を示す「最終表示」から復旧させるときの一制御例を示すフローチャートである。
【図８】電断及び復旧時における掛け数表示ランプとライン数表示ランプの点灯制御の流れを示し、ライン数表示ランプの表示態様をＬＥＤの点灯個数が設定掛け数を示す「最終表示」から復旧させるときの他の制御例を示すフローチャートである。
【図９】スタートレバー操作及び停止ボタン操作の時間的な重なりが変動中のリールに及ぼす作用を説明するためのタイムチャートである。
【図１０】スタートレバー操作中であっても停止ボタン操作が行われることでリールの回転が停止する旨を示唆する示唆例を示す図である。
【図１１】停止ボタン操作及び他の操作手段に対する操作の時間的な重なりが変動中のリールに及ぼす作用を説明するためのタイムチャートである。
【図１２】複数の操作手段に対する操作の時間的な重なりが遊技に及ぼす作用を説明するためのタイムチャートである。
【図１３】複数の操作手段に対する操作の有無を示す操作情報の記憶領域を説明する図表であり、各操作情報をビットごとに管理するとともに、スタートレバーの操作情報を他の操作情報のアドレスと分けて管理するときの図表である。
【図１４】複数の操作手段に対する操作の有無を示す操作情報の記憶領域を説明する図表であり、各操作情報を一のアドレスにおいてビットごとに管理するときの図表である。
【図１５】複数の操作手段に対する操作の有無を示す操作情報の記憶領域を説明する図表であり、各操作情報をアドレスごとに管理するときの図表である。
【発明を実施するための形態】
【０００９】
本発明に係る遊技機の好ましい実施形態について、図１〜図１５を参照して説明する。
【００１０】
スロットマシン１は、本発明に係る遊技機の一実施形態であり、通常のスロットマシンと同様、前面に開口部を有する筐体１ｂと、開口部を開閉可能に覆う前扉１ａとを備えている。
前扉１ａは、リール４１ａ〜４１ｃそれぞれに表された連続する３つの図柄（識別情報）を機外から識別可能に構成されるとともに、遊技者により操作される複数の操作手段（２，２ａ，３，５，６）を備え、筐体１ｂは、リール４１ａ〜４１ｃを回転駆動させるドラムユニット４、メダルの払い出しを行うメダル払出装置７などの複数の装置、コンピュータとして動作する主制御部１０、副制御部２０などを備えている。
このようなスロットマシン１は、主制御部１０が遊技制御手段、掛け数設定手段、遊技実行手段、事前決定手段、停止表示制御手段、利益付与手段などとして動作することにより、以下のようなスロットマシン遊技を実行可能に構成されている。
【００１１】
ゲームの開始にあたり、遊技用価値としてのメダル（クレジットメダルも含む）を用いて掛け数の設定を行う。
掛け数の設定は、メダル投入口２から直接メダルを投入して設定する方法と、掛け数設定ボタン６（６ａ〜６ｃ）を押下操作して設定する方法とがある。
【００１２】
メダル投入口２からメダルを投入して掛け数を設定する方法では、投入されたメダルが前扉１ａ裏面に設けられたメダルセレクタ２ｂ（メダル検出手段）によって検知されることにより、投入分のメダル枚数に対応する掛け数（ただし、メダル３枚に対応する掛け数「３」が上限）が設定されることになる（掛け数設定手段）。
なお、掛け数の上限は、「１」、「２」、又は「４」以上でもよい。
【００１３】
掛け数設定ボタン６（６ａ〜６ｃ）は、掛け数の設定に係る遊技者の操作を受け付け可能な操作手段の一例であり、これらが押下操作されると、内部的にデータとして記憶されたクレジットメダルから各掛け数設定ボタン６ａ〜６ｃそれぞれに対応するメダル数が減算され、減算された分が掛け数として設定されることになる（掛け数設定手段）。例えば、１枚掛けボタン６ａの押下操作によりメダル１枚に対応する掛け数「１」、２枚掛けボタン６ｂの押下操作によりメダル２枚に対応する掛け数「２」、３枚掛けボタン６ｃの押下操作によりメダル３枚に対応する掛け数「３」がそれぞれ設定される。
なお、クレジットメダルは、メダル投入口２からのメダル投入や入賞により加算され、例えば、メダル５０枚までクレジット（記憶）することができる。
【００１４】
このように、メダル投入口２からの直接投入や掛け数設定ボタン６（６ａ〜６ｃ）の押下操作により設定された掛け数のことを「設定掛け数」といい、設定掛け数は主制御部１０に備えるＲＡＭなどの記憶手段に記憶される。例えば、掛け数設定ボタン６ａ、６ｂ、６ｃが押下操作されると、設定掛け数「１」、「２」、「３」がそれぞれ記憶手段に記憶されることになる。
また、この設定掛け数は、ＬＥＤ等の発光手段を備える掛け数表示ランプ１３の点灯個数により識別可能となる。
そして、設定掛け数が「１」以上となったときに、１回の遊技を実行可能な権利を保有するゲーム開始可能な状態となる（遊技実行手段）。
【００１５】
このゲーム開始可能な状態では、第１操作手段の一例であるスタートレバー３の操作が有効状態となる。この有効状態になっているときに、スタートレバー３が傾動操作されると、ゲームが開始され、複数の図柄の表されたリール４１ａ〜４１ｃが変動（以下、回転ということもある）を開始するとともに、再遊技、小役、ボーナスなどの複数の役（ハズレを含む）の中から今回ゲームの抽選結果をリール４１の停止前に事前に決定する内部抽選処理が実行される（事前決定手段）。
なお、本実施形態では、内部抽選処理は、後述するリール４１ａ〜４１ｃが定常回転に達する前に完了するものであるが、リール４１ａ〜４１ｃが回転を開始する前に完了するようにしてもよい。
【００１６】
各リール４１ａ〜４１ｃは、変動表示手段の一例であり、各リール４１ａ〜４１ｃの周面には、識別情報となる複数（通常２１個）の図柄が表されており、停止状態から徐々に回転速度を上げた後、一定の速度で回転する定常回転に達する。
このような定常回転に達すると、各リール４１ａ〜４１ｃに対応して設けられた停止ボタン５ａ〜５ｃが押下操作可能な状態（停止ボタン５操作の有効化）となる。
停止ボタン５ａ〜５ｃは、第２操作手段の一例であり、例えば、停止ボタン５ａ〜５ｃに内蔵されたＬＥＤ等の発光手段からなる停止ボタンランプ５１（図３、図１０（ｂ）参照）が点灯することにより押下操作可能な状態となり、このような状態において各停止ボタン５が押下操作されると、その操作タイミングと内部抽選処理の抽選結果とにより許容される図柄の組合せで停止するように、各リール４１ａ〜４１ｃが停止制御される（停止表示制御手段）。
【００１７】
停止状態では、リール４１ａ〜４１ｃそれぞれに表された上下方向に連続する３つの図柄が表示窓１２から機外に臨むように停止し、このときの停止態様に基づいて入賞の有無が判定される。
入賞の判定は、所定の入賞ライン上に停止した図柄の組合せに基づいて判定され、例えば、上・中・下段３つのラインと斜め２つのラインの計５ラインいずれかの入賞ライン上に停止表示された図柄の組合せに基づいて判定される。
【００１８】
入賞ラインの数は、設定掛け数に応じて変化し、例えば、設定掛け数が「１」のときには、中段の入賞ライン（１ライン）上に停止表示された図柄の組合せが判定され、設定掛け数が「２」のときには、上・中・下段３つの入賞ライン（３ライン）上に停止表示された図柄の組合せが判定され、設定掛け数が「３」のときには、上・中・下段３つのラインと斜め２つのラインの計５つの入賞ライン（５ライン）上に停止表示された図柄の組合せが判定されることになる。
この判定が行われる入賞ライン及びその数のことを、有効ライン及び有効ライン数といい、この有効ライン数は、ＬＥＤ等の発光手段を備えるライン数表示ランプ１４の点灯個数により識別可能となる。
そして、有効ライン上に停止した図柄の組合せを判定した結果、図柄の組合せに応じた利益が付与される（利益付与手段）。
【００１９】
例えば、小役に対応する図柄の組合せの停止表示により、メダル払出装置７が駆動制御され、メダルの貯留されたホッパー７ａからメダル払出口７ｂを介して所定数のメダルが払い出される。なお、本実施形態では、クレジットメダルの上限数を超える分のみメダルが払い出されるが、入賞が発生するごとに、入賞に対応するメダルが払い出されるようにすることもできる。
また、再遊技に対応する図柄の組合せの停止表示により、次回ゲームにおいてメダルの投入を行うことなく遊技可能な状態となる。
また、ボーナスに対応する図柄の組合せの停止表示により、次回ゲームから小役に高確率で当選するボーナス遊技状態に移行する。
【００２０】
このような一連の動作を１回の遊技とするスロットマシン遊技は、図３に示すように、主制御部１０が、精算ボタン２ａ、スタートレバー３、停止ボタン５、掛け数設定ボタン６などの操作手段やメダルセレクタ２ｂなどの入力手段からの入力情報に基づいて、リール４１ａ〜４１ｃやこれらを回転駆動させるパルスモータなどを備えるドラムユニット４、メダル払出装置７などの出力手段を制御することにより実現される。
【００２１】
また、スロットマシン１では、このようなスロットマシン遊技に同期した遊技演出も行われる。例えば、ボーナス当選時には、所定のランプ演出がＬＥＤ等の発光手段を備える告知ランプ１５などの出力手段を介して出力される。また、ボーナス遊技状態への移行時には、ボーナス祝福画像演出、ファンファーレ音、及びランプ演出などが液晶ＴＶなどの表示器８、スピーカ９、及びＬＥＤ等の発光手段を備える枠ランプ１１などの出力手段を介してそれぞれ出力される。
このような出力手段は、図３に示すように、副制御部２０により制御される。
【００２２】
副制御部２０は、演出制御手段の一例であり、主制御部１０からの指令に従った動作を実行可能に構成される。
例えば、副制御部２０は、主制御部１０に設けられた出力ポートなどの送信手段から所定の遊技タイミングごとに送信される制御コマンドを、当該副制御部２０に備える入力ポートなどの受信手段を介して受信するとともに、受信した制御コマンドを解読し、制御コマンドに応じた演出を行うように表示器８などの出力手段を制御する。
【００２３】
スロットマシン１は、このような通常のスロットマシンと同様の構成に加えて、以下のような特徴的な構成を備えている。
特徴な構成としては、掛け数表示ランプ１３及びライン数表示ランプ１４の制御と、スタートレバー３に関する制御とがある。
【００２４】
１．掛け数表示ランプ及びライン数表示ランプの制御
主制御部１０と副制御部２０は、図３に示すように、掛け数表示ランプ１３とライン数表示ランプ１４をそれぞれ制御する。
【００２５】
掛け数表示ランプ１３は、表示手段又は特定表示手段の一例であり、主制御部１０により制御され、メダル投入口２からの直接投入や掛け数設定ボタン６ａ〜６ｃの操作に基づいて設定された設定掛け数を識別可能に表示する。
ライン数表示ランプ１４は、表示手段の一例であり、副制御部２０により制御され、設定掛け数に応じて変化する有効ライン数を識別可能に表示する。
ただし、有効ライン数「１」、「３」、「５」ラインはそれぞれ設定掛け数「１」、「２」、「３」に一対一に対応することから、以下の説明において、ライン数表示ランプ１４は、設定掛け数を識別可能に表示する表示手段として説明する。
なお、本実施形態とは異なるが、ライン数表示ランプ１４は、「１」〜「５」の有効ライン数を個々に識別可能なランプとして構成することもできる。
また、本実施形態では、有効ライン数の報知及び設定掛け数の報知をライン数表示ランプ１４一つで行うようにしているが、有効ライン数の報知を行う表示ランプと、設定掛け数の報知を行う表示ランプとを別々に設けてもよい。
前述したように副制御部２０は、主制御部１０から送信される制御コマンドに基づいてライン数表示ランプ１４を制御する。また、副制御部２０は、ライン数表示ランプ１４の制御にあたり、所定音をスピーカ９から出力させる。
このような構成において、主制御部１０と副制御部２０はそれぞれ掛け数表示ランプ１３とライン数表示ランプ１４を以下のように制御する。
【００２６】
<通常時の点灯制御>
掛け数表示ランプ１３とライン数表示ランプ１４はそれぞれＬＥＤ１３ａ〜１３ｃとＬＥＤ１４ａ〜１４ｃとで構成されている。
掛け数表示ランプ１３とライン数表示ランプ１４は、設定掛け数に応じた個数のＬＥＤが点灯するよう、以下のように制御される。
【００２７】
例えば、掛け数が「０」（第１掛け数）のときは、いずれのＬＥＤも点灯しない無点灯態様（第１表示）に制御される。
単数の掛け数に対応する設定掛け数「１」のときには、ＬＥＤ１３ａ及びＬＥＤ１４ａが点灯する１個点灯態様に制御される。
複数の掛け数に対応する設定掛け数「２」又は「３」のときには、以下に示すように、主制御部１０が設定掛け数「２」又は「３」に至るまでに掛け数を「１」ずつ増加させる制御を行うことにより、ＬＥＤの点灯個数が増加するように制御される。
なお、以下の説明において、設定掛け数「２」又は「３」に至る途中において設定される掛け数のことを、「途中掛け数」という。
【００２８】
具体的には、設定掛け数「２」のときには、途中掛け数「１」（第２掛け数又は特定掛け数）に対応するＬＥＤ１３ａ及びＬＥＤ１４ａが点灯する１個点灯態様（第２表示）に制御された後、設定掛け数「２」（第３掛け数）に対応するＬＥＤ１３ａ，１３ｂ及びＬＥＤ１４ａ，ＬＥＤ１４ｂが点灯する２個点灯態様（第３表示）に制御される。
また、設定掛け数「３」のときには、途中掛け数「１」（第２掛け数又は特定掛け数）に対応するＬＥＤ１３ａ及びＬＥＤ１４ａが点灯する１個点灯態様（第２表示）に制御された後、途中掛け数「２」（第２掛け数又は特定掛け数）に対応するＬＥＤ１３ａ，１３ｂ及びＬＥＤ１４ａ，ＬＥＤ１４ｂが点灯する２個点灯態様（第２表示）に制御され、さらに、設定掛け数「３」（第３掛け数）に対応するＬＥＤ１３ａ〜１３ｃ及びＬＥＤ１４ａ〜１４ｃが点灯する３個点灯態様（第３表示）に制御される。
【００２９】
つまり、掛け数表示ランプ１３とライン数表示ランプ１４は、複数の掛け数が設定されたときには、点灯するＬＥＤの個数がそれぞれ１個ずつ増加する演出、すなわち、掛け数「０」（第１掛け数）を示す第１表示から、少なくとも当該複数の掛け数（「２」又は「３」）よりも少ない特定掛け数（「１」又は「２」）が設定されたことを示す第２表示に表示態様を変更した後に、当該複数の掛け数（「２」又は「３」）が設定されたことを示す第３表示に表示態様を変更する「特別演出」を行うように制御される。
【００３０】
このような制御の流れを図４に示すフローチャートを参照しながら説明する。
図４に示す例は、３枚掛けボタン６ｃが押下操作されたときの制御例を示している。
また、図４に示すＬＥＤ１３ａ〜１３ｃ、ＬＥＤ１４ａ〜１４ｃにおいて、「網掛け」は「点灯」、「白地」は「消灯」を示すものとする（図５〜図８も同様）。
主制御部１０は、３枚掛けボタン６ｃに対する押下操作を検出すると、掛け数表示ランプ１３を構成するＬＥＤ１３ａ〜１３ｃの点灯個数を「０」から順に１個ずつ増加させ、最終的に設定掛け数「３」に対応する３つのＬＥＤ１３ａ〜１３ｃを点灯させる制御を行う。
【００３１】
具体的には、掛け数「０」（第１掛け数）を示すＬＥＤ１３ａ〜１３ｃのいずれも点灯しない無点灯態様（第１表示）から始まり、途中掛け数「１」（第２掛け数）を示す１点灯制御によりＬＥＤ１３ａを点灯させ（第２表示、第４表示）、途中掛け数「２」（第２掛け数）を示す２点灯制御によりＬＥＤ１３ａ，１３ｂを点灯させ（第２表示、第４表示）、その後、設定掛け数「３」（第３掛け数）を示す３点灯制御によりＬＥＤ１３ａ，１３ｂ，１３ｃをすべて点灯させ（第３表示、第５表示）、続いて、この表示態様（第３表示、第５表示）を継続させる。
このように、掛け数表示ランプ１３は、複数の掛け数が設定されたときに、ＬＥＤの点灯個数を１個ずつ増加させる「途中掛け数表示」を行った後、設定掛け数に対応する個数のＬＥＤがすべて点灯する「設定掛け数表示」となる「特別演出」を行うように制御される。
【００３２】
また、主制御部１０は、ＬＥＤ１３の点灯個数が１個ずつ増加する度に、点灯コマンド（掛け数情報）を副制御部２０に送信する。
具体的には、主制御部１０は、ＬＥＤ１３ａを点灯させたときに（第２表示、第４表示）、1枚掛け点灯コマンド（第２掛け数情報）を送信し、ＬＥＤ１３ａ，１３ｂを点灯させたときに（第２表示、第４表示）、２枚掛け点灯コマンド（第２掛け数情報）を送信し、ＬＥＤ１３ａ，１３ｂ，１３ｃをすべて点灯させたときに（第３表示、第５表示）、３枚掛け点灯コマンド（第３掛け数情報）を送信する。
【００３３】
一方、副制御部２０は、主制御部１０から受信する点灯コマンドに基づいて、ライン数表示ランプ１４を構成するＬＥＤ１４ａ〜１４ｃの点灯個数を「０」から順に１個ずつ増加させ、最終的に設定掛け数「３」に対応する３つのＬＥＤ１４ａ〜１４ｃを点灯させる制御を行う。
【００３４】
具体的には、掛け数「０」（第１掛け数）を示すＬＥＤ１４ａ〜１４ｃのいずれも点灯しない無点灯態様（第１表示）から始まり、途中掛け数「１」（第２掛け数）を示す１枚掛け点灯コマンド（第２掛け数情報）の受信によりＬＥＤ１４ａを点灯させ（第２表示）、途中掛け数「２」（第２掛け数）を示す２枚掛け点灯コマンド（第２掛け数情報）の受信によりＬＥＤ１４ａ，１４ｂを点灯させ（第２表示）、設定掛け数「３」（第３掛け数）を示す３枚掛け点灯コマンド（第３掛け数情報）の受信によりＬＥＤ１４ａ，１４ｂ，１４ｃをすべて点灯させ（第３表示）、その後、この表示態様（第３表示）を継続させる。
また、副制御部２０は、このような点灯制御に同期して、点灯個数の増加ごとにスピーカ９から音を出力させ、例えば、ＬＥＤ１４ａの点灯のときに（第２表示）、「ポッ」の音（特定音声）を、ＬＥＤ１４ａ，１４ｂの点灯（第２表示）のときに、「ポッ」の音（特定音声）、ＬＥＤ１４ａ，１４ｂ，１４ｃの点灯（第３表示）のときに、「ボッ」の音（特別音声）を出力させる。なお、第２表示のときに出力される音（特定音声）と第３表示のときに出力される音（特別音声）は、図４に示すように、同じ音（「ポッ」）でもよい。
このように、ライン数表示ランプ１４は、複数の掛け数が設定されたときに、主制御部１０から送信される点灯コマンド（掛け数情報）を受信するごとに、ＬＥＤの点灯個数を「０」から１個ずつ増加させる「途中掛け数表示」を行った後、設定掛け数に対応する個数のＬＥＤがすべて点灯する「設定掛け数表示」となる「特別演出」を行うように制御される。
【００３５】
このように、主制御部１０と副制御部２０は、複数の掛け数が設定されたときに、ＬＥＤの点灯個数を「０」から１個ずつ増加させる「途中掛け数表示」を行わせるとともに、設定掛け数に対応する個数のＬＥＤがすべて点灯する「設定掛け数表示」となるように、掛け数表示ランプ１３とライン数表示ランプ１４をそれぞれ制御する。
【００３６】
なお、以下の説明において、複数の掛け数が設定されたときの掛け数表示ランプ１３とライン数表示ランプ１４の表示態様において、設定掛け数に対応する個数のＬＥＤが点灯する最終的な表示態様を「設定掛け数表示」といい、ＬＥＤの点灯個数が「０」から「設定掛け数表示」に至る前までの表示態様を「途中掛け数表示」という。
また、本実施形態では、３枚掛けボタン６ｃが押下操作されたときの例を示したが、最終的な設定掛け数に対応する「設定掛け数表示」は異なるものの、２枚掛けボタン６ｂが押下操作されたときも、「途中掛け数表示」と「設定掛け数表示」を一連の表示態様として表示する同様な「特別演出」の制御が行われる。
また、主制御部１０がＬＥＤ１３の点灯個数を１個ずつ増加させる度に、点灯コマンドを副制御部２０に送信することから、ライン数表示ランプ１４は掛け数表示ランプ１３に遅れて点灯することになるが、点灯タイミングはこの限りではなく、ライン数表示ランプ１４と掛け数表示ランプ１３が同時に点灯してもよく、掛け数表示ランプ１３がライン数表示ランプ１４に遅れて点灯してもよい。
また、本実施形態では、掛け数表示ランプ１３の点灯はライン数表示ランプ１４の点灯よりも早いことから、ライン数表示ランプ１４が点灯する前にゲーム開始可能な状態となる。
また、掛け数設定ボタン６の押下操作後においては、掛け数表示ランプ１３の表示態様が「設定掛け数表示」になるまでよりも内部的に掛け数が設定される方が速いことから、掛け数表示ランプ１３の表示態様が「途中掛け数表示」中であっても、押下操作された掛け数設定ボタン６の種類に応じた掛け数に基づくゲームが開始可能な状態となっており、掛け数表示ランプ１３の表示態様が「途中掛け数表示」中にスタートレバー３を操作することでリール４１の回転を始動させることができる。
【００３７】
主制御部１０と副制御部２０は、通常の状態（以下、通常時という）においては、以上説明したような流れで掛け数表示ランプ１３とライン数表示ランプ１４の制御を行うことになるが、スロットマシン１への電力の供給が絶たれる電断が発生した後、電力の供給が再開した復旧時には、以下に説明するような特徴的な制御を行う。
【００３８】
<電断復旧処理>
主制御部１０は、スロットマシン１への電力供給が絶たれた電断からの復旧時において電断前の状態にスロットマシン１を復旧させるように動作する。
例えば、主制御部１０は、スロットマシン１に供給される電圧を監視し、電圧が所定値以下になると、スロットマシン遊技に関する情報の少なくとも一部である遊技情報を保持する遊技情報保持手段として動作し、そのときのスロットマシン遊技の進行状態を示す遊技情報を記憶するとともに、すべての動作を停止させる電断処理を実行する。
【００３９】
スロットマシン遊技の進行状態を示す遊技情報には、例えば、停止ボタン５や掛け数設定ボタン６などの操作手段に対する操作の有無を示す操作情報、内部抽選処理の結果を示す当選情報、回転中又は停止中などのリール４１ごとの動作状態を示すリール変動情報、掛け数表示ランプ１３の制御状態を示すランプ制御情報などがある。
また、このランプ制御情報には、例えば、押下操作された掛け数設定ボタン６ａ〜６ｃを特定可能な情報、「途中掛け数表示」実行中又は「設定掛け数表示」実行中などの掛け数表示ランプ１３の制御状態を特定可能な情報、「途中掛け数表示」実行中であればそのときの掛け数表示ランプ１３の点灯個数（又は途中掛け数）を特定可能な情報、副制御部２０に送信した１〜３枚掛け点灯コマンドを特定可能な情報などがある。
これらの情報は主制御部１０に備えるＲＡＭなどの記憶手段にスロットマシン遊技の進行状態を示す最新の遊技情報として記憶されており、電断時には、バックアップ用電源として用いられるコンデンサ等によりＲＡＭに電力が供給され、その記憶内容が保持されるようになっている（遊技情報保持手段）。
【００４０】
主制御部１０は、電力の供給が再開した復旧時においてＲＡＭの記憶内容に従ってスロットマシン遊技（ゲーム）を再開させる。例えば、ＲＡＭに記憶されたリール情報がすべてのリール４１の回転中を示すときには、復旧時にすべてのリール４１の回転を開始させる。
また、掛け数表示ランプ１３の点灯制御中において電断が発生しその後復旧したときには、主制御部１０と副制御部２０は、ＲＡＭに記憶されたランプ制御情報に基づいて、掛け数表示ランプ１３とライン数表示ランプ１４の表示態様を以下のように復旧させる。
【００４１】
<電断からの復旧時における点灯制御>
（１−１）「特別演出」において点灯個数「０」を示す表示態様からの復旧
図５は、電断からの復旧時において主制御部１０と副制御部２０がそれぞれ掛け数表示ランプ１３とライン数表示ランプ１４を制御するときの流れを示すフローチャートである。
このフローチャートは、３枚掛けボタン６ｃが押下操作され、掛け数表示ランプ１３を構成するＬＥＤ１３ａ〜１３ｃが点灯するとともに、ライン数表示ランプ１４を構成するＬＥＤ１４ａ，１４ｂが点灯した状態であり、主制御部１０が３枚掛け点灯コマンドを副制御部２０に送信前又は送信直後であってＬＥＤ１４ａ，１４ｂ，１４ｃがすべて点灯する前、すなわち、ライン数表示ランプ１４の表示態様が「設定掛け数表示」に至らず未だ「途中掛け数表示」中に電断が発生した場合における復旧例を示している。
【００４２】
具体的には、掛け数表示ランプ１３はＬＥＤ１３ａ〜１３ｃの３つが点灯する「設定掛け数表示」中、ライン数表示ランプ１４はＬＥＤ１４ａ，１４ｂの２つが点灯する「途中掛け数表示」中において、電断が発生した場合を示している。
電断の発生により、掛け数表示ランプ１３とライン数表示ランプ１４は、それぞれの表示態様を中断して無点灯態様（第１表示）となる。
その後、電力の供給が開始されると、主制御部１０は、ＲＡＭに記憶されたランプ制御情報に従って掛け数表示ランプ１３の表示態様を電断前の状態に復旧させる。
この場合においてＲＡＭに記憶されているランプ制御情報は、例えば、３枚掛けボタン６ｃの押下操作を示す情報、ＬＥＤ１３ａ〜１３ｃすべての点灯を示す情報、３枚掛け点灯コマンドの送信済みか否かを示す情報などであり、主制御部１０はこれらの情報に基づいて、掛け数表示ランプ１３をＬＥＤ１３ａ〜１３ｃがすべて点灯した「設定掛け数表示」から復旧させる。
また、主制御部１０は、電断前に３枚掛け点灯コマンドを送信済みか否かにかかわらず３枚掛け点灯コマンドを副制御部２０に送信する。
【００４３】
副制御部２０は、受信した点灯コマンドに基づいてライン数表示ランプ１４の表示態様を電断前の状態に復旧させる。
この場合において受信した点灯コマンドは３枚掛け点灯コマンドであることから、副制御部２０はライン数表示ランプ１４の表示態様をＬＥＤ１４ａ〜１４ｃのすべてを点灯させる「設定掛け数表示」（第３表示）から復旧させることもできるが、「特別演出」においてＬＥＤの点灯個数が「０」を示す表示態様（第１表示）から復旧させる。
具体的には、電断の発生によりライン数表示ランプ１４は無点灯態様（第１表示）となっており、副制御部２０はこのような無点灯態様から、ＬＥＤ１４ａ〜１４ｃの点灯個数を１個ずつ所定の間隔（通常時における点灯コマンドの受信間隔が好ましい）をおいて順次増加させ、最終的な設定掛け数「３」に対応する３つのＬＥＤ１４ａ〜１４ｃを点灯させるという「特別演出」の制御を行う。また、通常時の点灯制御であれば点灯個数の増加ごとにスピーカ９から「ポッ」や「ボッ」の音を出力させるものの、復旧時においては電断後の復旧であることを識別可能なように音の出力を規制し、無音状態とすることが好ましい。
【００４４】
このように、ライン数表示ランプ１４の表示態様を、「特別演出」においてＬＥＤの点灯個数が「０」を示す表示態様（第１表示）から復旧させる、すなわち、「特別演出」を最初から改めて実行することにより、掛け数がさらに追加されるような錯覚を遊技者に与えることが解消される。
副制御部２０のこのような制御は、例えば、主制御部１０が３枚掛け点灯コマンドの送信に先立ち、電断からの復旧を示す電断復旧コマンドを送信し、副制御部２０がこの復旧コマンドの受信により特別演出中の電断の発生を認識し、この認識に基づいて制御することで実現される。
また、復旧コマンドの受信に代えて、電力供給開始後、１枚掛け点灯コマンドを受信することなく、２枚掛け点灯コマンド又は３枚掛け点灯コマンドを受信することにより、副制御部２０が電断の発生を認識し、この認識に基づいて制御することでも実現される。これは、通常時であれば、必ず１枚掛け点灯コマンドを最初に受信することになるが、電力供給開始後、１枚掛け点灯コマンドを最初に受信することなく、２枚掛け点灯コマンド又は３枚掛け点灯コマンドを受信することにより、副制御部２０が特別演出中の電断の発生を認識できるからである。
【００４５】
さらに、「特別演出」においてＬＥＤの点灯個数が「０」を示す表示態様（第１表示）から復旧させる他の例について、図６に示すフローチャートを用いて説明する。
このフローチャートは、３枚掛けボタン６ｃが押下操作され、掛け数表示ランプ１３を構成するＬＥＤ１３ａ，１３ｂが点灯するとともに、ライン数表示ランプ１４を構成するＬＥＤ１４ａが点灯した状態であり、主制御部１０が２枚掛け点灯コマンドを副制御部２０に送信前又は送信直後であってＬＥＤ１４ａ，１４ｂ，１４ｃがすべて点灯する前、すなわち、ライン数表示ランプ１４のみならず掛け数表示ランプ１３も「設定掛け数表示」に至らず未だ「途中掛け数表示」中に電断が発生した場合における復旧例を示している。
【００４６】
具体的には、掛け数表示ランプ１３はＬＥＤ１３ａ，１３ｂの２つが点灯する「途中掛け数表示（第４表示）」中、ライン数表示ランプ１４はＬＥＤ１４ａの１つが点灯する「途中掛け数表示（第２表示）」中において、電断が発生した場合を示している。
電断の発生により、掛け数表示ランプ１３とライン数表示ランプ１４は、それぞれの表示態様を中断して無点灯態様（第１表示）となる。
その後、電力の供給が再開すると、主制御部１０は、ＲＡＭに記憶されたランプ制御情報に従って掛け数表示ランプ１３の表示態様を電断前の状態に復旧させる。
この場合においてＲＡＭに記憶されているランプ制御情報は、例えば、３枚掛けボタン６ｃの押下操作を示す情報、ＬＥＤ１３ａ，１３ｂの点灯を示す情報、２枚掛け点灯コマンドの送信済みか否かを示す情報などであり、主制御部１０はこれらの情報に基づいて、電断直前における正確な掛け数を識別できるように、掛け数表示ランプ１３をＬＥＤ１３ａ，１３ｂが点灯した「途中掛け数表示（第４表示）」中から復旧させる。そして、その後、ＬＥＤ１３ａ〜１３ｃのすべてが点灯する「設定掛け数表示（第５表示）」に制御する。
また、主制御部１０は、電断前に２枚掛け点灯コマンドを送信済みか否かにかかわらず２枚掛け点灯コマンドを副制御部２０に送信するとともに、掛け数表示ランプ１３を構成するＬＥＤ１３ａ〜１３ｃがすべて点灯したときに、３枚掛け点灯コマンドを送信する。
【００４７】
副制御部２０は、受信した点灯コマンドに基づいてライン数表示ランプ１４の表示態様を電断前の状態に復旧させる。
この場合において受信した点灯コマンドは２枚掛け点灯コマンドであることから、副制御部２０はライン数表示ランプ１４の表示態様をＬＥＤ１４ａ，１４ｂの点灯する「途中掛け数表示」中から復旧させることもできるが、「特別演出」においてＬＥＤの点灯個数が「０」を示す表示態様（第１表示）から復旧させる。
【００４８】
具体的には、電断の発生によりライン数表示ランプ１４は無点灯態様（第１表示）となっており、副制御部２０はこのような無点灯態様から、ＬＥＤ１４ａ〜１４ｃの点灯個数を１個ずつ所定の間隔（通常時における点灯コマンドの受信間隔が好ましい）をおいて順次増加させ、最終的な設定掛け数「３」に対応する３つのＬＥＤ１４ａ〜１４ｃを点灯させるという「特別演出」の制御を行う。また、このような点灯制御は、２枚掛け点灯コマンドの受信後から開始することもできるが、２枚掛け点灯コマンドの受信後から３枚掛けコマンドが受信されるまでの「待ち時間（遅延時間）」を設けた上で、開始することもできる。すなわち、副制御部２０は、主制御部１０から送信された点灯コマンドが１枚掛け点灯コマンド、２枚掛け点灯コマンドのときには、その後、点灯コマンドが送信されるか否かを予め知得することはできないので、掛け数の上限に対応する３枚掛けコマンドが受信されるまでの待ち時間（遅延時間）」を設けた上で点灯制御を開始する。
また、通常時の点灯制御であれば点灯個数の増加ごとにスピーカ９から「ポッ」や「ボッ」の音を出力させるものの、復旧時においては電断後の復旧であることを識別可能なように音の出力を規制し、無音状態とすることが好ましい。
【００４９】
このように、ライン数表示ランプ１４の表示態様を、「特別演出」においてＬＥＤの点灯個数が「０」を示す表示態様（第１表示）から復旧させる、すなわち、「特別演出」を最初から改めて実行することにより、掛け数がさらに追加されるような錯覚を遊技者に与えることが解消される。
副制御部２０のこのような制御は、例えば、主制御部１０が２枚掛け点灯コマンドの送信に先立ち、電断からの復旧を示す電断復旧コマンドを送信し、副制御部２０がこの復旧コマンドの受信により特別演出中の電断の発生を認識し、この認識に基づいて制御することで実現される。
また、復旧コマンドの受信に代えて、電力供給開始後、１枚掛け点灯コマンドを受信することなく、２枚掛け点灯コマンド又は３枚掛け点灯コマンドを受信することにより、副制御部２０が電断の発生を認識し、この認識に基づいて制御することでも実現される。これは、通常時であれば、必ず１枚掛け点灯コマンドを最初に受信することになるが、電力供給開始後、１枚掛け点灯コマンドを最初に受信することなく、２枚掛け点灯コマンド又は３枚掛け点灯コマンドを受信することにより、副制御部２０が特別演出中の電断の発生を認識できるからである。
【００５０】
なお、図５及び図６に示す例では、３枚掛けボタン６ｃが押下操作されて電断が発生した場合を例示したが、１枚掛けボタン６ａや２枚掛けボタン６ｂが押下操作されて電断が発生した場合でも同様な点灯制御を行うことができる。
また、ライン数表示ランプ１４が「途中掛け数表示」中に電断が発生した場合を例示したが、「設定掛け数表示」中に電断が発生した場合でも「特別演出」における点灯個数「０」を示す表示態様から復旧させることもできる。
また、掛け数表示ランプ１３の表示態様を電断前の表示態様（「途中掛け数表示」第４表示）から復旧させたが、「特別演出」における点灯個数「０」を示す表示態様から復旧させることもできる。
このように、ライン数表示ランプ１４の表示態様を、「特別演出」において点灯個数「０」を示す表示態様から復旧させることもできるが、以下に示すように、「特別演出」において最終的な設定掛け数に対応する個数のＬＥＤを点灯させる「設定掛け数表示」を示す表示態様から復旧させることもできる。
【００５１】
（１−２）「特別演出」において「設定掛け数表示」を示す表示態様からの復旧
図７は、ライン数表示ランプ１４の表示態様を「特別演出」における「設定掛け数表示」を示す表示態様から復旧させるときの流れを示すフローチャートである。
このフローチャートは、図５と同様に、３枚掛けボタン６ｃが押下操作され、掛け数表示ランプ１３を構成するＬＥＤ１３ａ〜１３ｃが点灯するとともに、ライン数表示ランプ１４を構成するＬＥＤ１４ａ，１４ｂが点灯した状態であり、主制御部１０が３枚掛け点灯コマンドを副制御部２０に送信前又は送信直後であってＬＥＤ１４ａ，１４ｂ，１４ｃがすべて点灯する前、すなわち、ライン数表示ランプ１４の表示態様が「設定掛け数表示」に至らず未だ「途中掛け数表示」中に電断が発生した場合における復旧例を示している。
【００５２】
具体的には、掛け数表示ランプ１３はＬＥＤ１３ａ〜１３ｃの３つが点灯する「設定掛け数表示」中、ライン数表示ランプ１４はＬＥＤ１４ａ，１４ｂの２つが点灯する「途中掛け数表示」中において、電断が発生した場合を示している。
電断の発生により、掛け数表示ランプ１３とライン数表示ランプ１４は、それぞれの表示態様を中断して無点灯態様（第１表示）となる。
その後、電力の供給が再開すると、主制御部１０は、ＲＡＭに記憶されたランプ制御情報に従って掛け数表示ランプ１３の点灯状態を電断前の状態に復旧させる。
この場合においてＲＡＭに記憶されているランプ制御情報は、例えば、３枚掛けボタン６ｃの押下操作を示す情報、ＬＥＤ１３ａ〜１３ｃすべての点灯を示す情報、３枚掛け点灯コマンドの送信済みか否かを示す情報などであり、主制御部１０はこれらの情報に基づいて、掛け数表示ランプ１３をＬＥＤ１３ａ〜１３ｃがすべて点灯した「設定掛け数表示」から復旧させる。
また、主制御部１０は、電断前に３枚掛け点灯コマンドを送信済みか否かにかかわらず３枚掛け点灯コマンドを副制御部２０に送信する。
【００５３】
副制御部２０は、受信した点灯コマンドに基づいてライン数表示ランプ１４の表示態様を電断前の状態に復旧させる。
この場合において受信した点灯コマンドは３枚掛け点灯コマンドであることから、副制御部２０はライン数表示ランプ１４の表示態様をＬＥＤ１４ａ〜１４ｃのすべてを点灯させる「設定掛け数表示」（第３表示）から復旧させる。
具体的には、電断の発生によりライン数表示ランプ１４は無点灯態様（第１表示）となっており、副制御部２０はこのような無点灯態様から、「特別演出」において最終的な設定掛け数「３」に対応する３つのＬＥＤ１４ａ〜１４ｃを点灯させるという「設定掛け数表示」を示す表示態様からの復旧の制御を行う。また、通常時の点灯制御であればスピーカ９から「ポッ」や「ボッ」の音を出力させるものの、復旧時においては電断後の復旧であることを識別可能なように音の出力を規制し、無音状態とすることが好ましい。
【００５４】
このように、「特別演出」において「設定掛け数表示」を示す表示態様から直接復旧させることにより、掛け数がさらに追加されるような錯覚を遊技者に与えることが解消される。
副制御部２０のこのような制御は、例えば、主制御部１０が３枚掛け点灯コマンドの送信に先立ち、電断からの復旧を示す電断復旧コマンドを送信し、副制御部２０がこの復旧コマンドの受信により特別演出中の電断の発生を認識し、この認識に基づいて制御することで実現される。
【００５５】
さらに、「特別演出」において「設定掛け数表示」を示す表示態様から直接復旧させる他の例について、図８に示すフローチャートを用いて説明する。
このフローチャートは、３枚掛けボタン６ｃが押下操作され、掛け数表示ランプ１３を構成するＬＥＤ１３ａが点灯するとともに、ライン数表示ランプ１４が未だ無点灯態様であり、主制御部１０が１枚掛け点灯コマンドを副制御部２０に送信前又は送信直後であってＬＥＤ１４ａ，１４ｂ，１４ｃがすべて点灯する前、すなわち、ライン数表示ランプ１４のみならず掛け数表示ランプ１３も未だ「途中掛け数表示」中に電断が発生した場合における復旧例を示している。
【００５６】
具体的には、掛け数表示ランプ１３はＬＥＤ１３ａの１つが点灯する「途中掛け数表示」中、ライン数表示ランプ１４は点灯個数「０」を示す「途中掛け数表示」中において、電断が発生した場合を示している。
電断の発生により、掛け数表示ランプ１３とライン数表示ランプ１４は、それぞれの表示態様を中断して無点灯態様（第１表示）となる。
その後、電力の供給が再開すると、主制御部１０は、ＲＡＭに記憶されたランプ制御情報に従って掛け数表示ランプ１３の表示態様を電断前の状態に復旧させる。
この場合においてＲＡＭに記憶されているランプ制御情報は、例えば、３枚掛けボタン６ｃの押下操作を示す情報、ＬＥＤ１３ａの点灯を示す情報、１枚掛け点灯コマンドの送信済みか否かを示す情報などであり、主制御部１０はこれらの情報に基づいて、電断直前における正確な掛け数を識別できるように、掛け数表示ランプ１３をＬＥＤ１３ａが点灯した「途中掛け数表示（第４表示）」中から復旧させる。そして、その後、ＬＥＤ１３の点灯個数を１個ずつ所定の間隔（通常時と同じ点灯間隔が好ましい）をおいて順次増加させ、最終的に設定掛け数「３」に対応する３つのＬＥＤ１３ａ〜１３ｃのすべてが点灯する「設定掛け数表示」に制御する。
また、主制御部１０は、電断前に１枚掛け点灯コマンドを送信済みか否かにかかわらず１枚掛け点灯コマンドを副制御部２０に送信するとともに、ＬＥＤ１３の点灯個数が増加するごとに、２枚掛け点灯コマンド、３枚掛けコマンドを順次送信する。
【００５７】
副制御部２０は、受信した点灯コマンドに基づいてライン数表示ランプ１４の表示態様を電断前の状態に復旧させる。
この場合において受信した点灯コマンドは１枚掛け点灯コマンドであることから、副制御部２０はライン数表示ランプ１４の表示態様をＬＥＤ１４ａから順に点灯させる「途中掛け数表示」（第２表示）から復旧させることもできるが、最終的な設定掛け数に対応する個数のＬＥＤを点灯させる「設定掛け数表示」（第３表示）から復旧させる。
【００５８】
具体的には、電断の発生によりライン数表示ランプ１４は無点灯態様（第1表示）となっており、副制御部２０はこのような無点灯態様から、「特別演出」において最終的な設定掛け数「３」に対応する３つのＬＥＤ１４ａ〜１４ｃを点灯させるという「設定掛け数表示」を示す表示態様からの復旧の制御を行う。また、このような点灯制御は、１枚掛け点灯コマンドの受信後から３枚掛けコマンドが受信されるまでの「待ち時間（遅延時間）」を設けた上で、開始することもできる。すなわち、副制御部２０は、主制御部１０から送信された点灯コマンドが１枚掛け点灯コマンド、２枚掛け点灯コマンドのときには、その後、点灯コマンドが送信されるか否かを予め知得することはできないので、掛け数の上限に対応する３枚掛けコマンドが受信されるまでの待ち時間（遅延時間）」を設けた上で点灯制御を開始する。
また、通常時の点灯制御であれば点灯個数の増加ごとにスピーカ９から「ポッ」や「ボッ」の音を出力させるものの、復旧時においては電断後の復旧であることを識別可能なように音の出力を規制し、無音状態とすることが好ましい。
【００５９】
このように、「特別演出」において「設定掛け数表示」を示す表示態様から直接復旧させることにより、掛け数がさらに追加されるような錯覚を遊技者に与えることが解消される。
副制御部２０のこのような制御は、例えば、主制御部１０が１枚掛け点灯コマンドの送信に先立ち、電断からの復旧を示す電断復旧コマンドを送信し、副制御部２０がこの復旧コマンドの受信により特別演出中の電断の発生を認識し、この認識に基づいて制御することで実現される。
【００６０】
なお、図７及び図８に示す例では、３枚掛けボタン６ｃが押下操作されて電断が発生した場合を例示したが、１枚掛けボタン６ａや２枚掛けボタン６ｂが押下操作されて電断が発生した場合でも同様な点灯制御を行うことができる。
また、ライン数表示ランプ１４が「途中掛け数表示」中に電断が発生した場合を例示したが、「設定掛け数表示」中に電断が発生した場合でも「特別演出」において「設定掛け数表示」を示す表示態様から復旧させることもできる。
また、掛け数表示ランプ１３の表示態様を電断前の表示態様（「途中掛け数表示」第４表示）から復旧させたが、「設定掛け数表示」（第５表示）から復旧させることもできる。
なお、以上の説明では、ライン数表示ランプ１４は、「特別演出」において点灯個数が「０」を示す表示態様又は「設定掛け数表示」を示す表示態様のいずれか一方の表示態様から復旧させたが、主制御部１０からの制御コマンドやその他の条件に応じて、復旧する表示態様がいずれかに変化（混在）してもよい。
また、以下の説明において「特別演出」において点灯個数が「０」を示す表示態様又は「設定掛け数表示」を示す表示態様からの復旧など、掛け数表示ランプ１３とライン数表示ランプ１４の電断からの復旧時における表示態様のことを、「復旧表示態様」ということもある。
【００６１】
<電断からの復旧時における他の点灯制御>
（１−３）既に設定された掛け数よりも少ない掛け数に対応する掛け数設定ボタン６が押下操作された場合の点灯制御
既に設定された掛け数よりも少ない掛け数に対応する掛け数設定ボタン６が押下操作された場合には、主制御部１０は掛け数表示ランプ１３の点灯個数を減少させる制御を以下のように行う。
【００６２】
既に設定された掛け数よりも少ない掛け数に対応する掛け数設定ボタンが押下操作された場合とは、例えば、３枚掛け設定ボタン６ｃが押下操作された後、１枚掛け設定ボタン６ａや２枚掛け設定ボタン６ｂが押下操作されるような場合であり、このような場合、主制御部１０は掛け数表示ランプ１３を構成するＬＥＤ１３ａ〜１３ｃの点灯個数を３個から１個又は２個に減少させる。
具体的には、例えば、３枚掛け設定ボタン６ｃが押下操作された後、１枚掛け設定ボタン６ａが押下操作されたときには、ＬＥＤ１３ａ〜１３ｃがすべて点灯中の態様から、ＬＥＤ１３ａ，１３ｂが点灯する態様、さらには、ＬＥＤ１３ａのみが点灯する態様というように点灯しているＬＥＤの個数を最終的な設定掛け数（この場合「１」）に対応する点灯個数まで１個ずつ減少させる制御を行う。
また、主制御部１０はＬＥＤの点灯個数が１個ずつ減少する度に、２枚掛け点灯コマンド、１枚掛け点灯コマンドというようにそのときのＬＥＤの点灯個数を示す点灯コマンドを順次、副制御部２０に送信する。
【００６３】
副制御部２０も同様に、このような点灯コマンドの受信に伴い、ライン数表示ランプ１４を構成するＬＥＤ１４ａ〜１４ｃの点灯個数を３個から１個に順次減少させる。
例えば、ＬＥＤ１４ａ〜１４ｃがすべて点灯中の態様から、点灯コマンドの受信ごとに、ＬＥＤ１４ａ，１４ｂが点灯する態様、さらには、ＬＥＤ１４ａのみが点灯する態様というように点灯しているＬＥＤの個数を最終的な設定掛け数（この場合「１」）に対応する点灯個数まで１個ずつ減少させる制御を行う。
【００６４】
以上が通常時における既に設定された掛け数よりも少ない掛け数に対応する掛け数設定ボタン６が押下操作された場合の制御であるが、このような点灯個数を減少させる制御中に電断が発生することもある。
このような制御中に電断が発生したときでも復旧後、主制御部１０はＲＡＭに記憶したランプ制御情報に基づいて掛け数表示ランプ１３の表示態様を電断前の状態に復旧させる。
この場合においてＲＡＭに記憶されているランプ制御情報は、例えば、３枚掛け設定ボタン６ｃが押下操作され、その後に２枚掛けボタン６ｂが押下操作された後に電断が発生した場合では、２枚掛けボタン６ｂを示す情報であり、主制御部１０はこの情報に基づいて、掛け数表示ランプ１３の表示態様をＬＥＤ１３ａ，１３ｂが点灯した表示態様（第４表示）から復旧させる。また、主制御部１０は、電断前に２枚掛け点灯コマンドを送信済みか否かにかかわらず２枚掛け点灯コマンドを副制御部２０に送信する。
【００６５】
副制御部２０は、受信した２掛け点灯コマンドに基づいてライン数表示ランプ１４の表示態様を電断前の状態に復旧させる。このとき副制御部２０は、図５及び図６に示すフローチャートに従って「特別演出」において点灯個数が「０」から１つずつ増加して最終的な設定掛け数「２」に対応する２つのＬＥＤ１４ａ，１４ｂを点灯させる表示態様から復旧させることもできるが、図７及び図８に示すフローチャートに従って「特別演出」において最終的な設定掛け数「２」に対応する「設定掛け数表示」を示す表示態様から復旧させることもできる。
つまり、点灯個数を減少させる制御中に電断が発生した場合でも、ライン数表示ランプ１４は、「特別演出」において点灯個数「０」を示す表示態様から、又は、「特別演出」において「設定掛け数表示」を示す表示態様から復旧するようになっている。
なお、掛け数表示ランプ１３は、電断前の表示態様（第４表示）から復旧させるが、点灯個数「０」を示す「特別演出」から復旧させることもできる。
【００６６】
（１−４）復旧時におけるスピーカ９からの音出力
前述の説明では復旧時においては電断後の復旧であることを識別可能なようにスピーカ９から音を出力せずに無音状態としたが、復旧時においても点灯個数の増加ごとにスピーカ９から「ポッ」や「ボッ」の音を出力させることもできる。
また、復旧時におけるライン数表示ランプ１４の表示態様に応じて音の出力形態を変えることもできる。例えば、「特別演出」において点灯個数「０」を示す表示態様から復旧させるときには、通常時の点灯制御と同様にスピーカ９から「ポッ」や「ボッ」の音を出力させ、「特別演出」において「設定掛け数表示」を示す表示態様から復旧させるときには、「ポッ」や「ボッ」の音とは異なる特殊な音（例えば、「ピッ」）を出力させることもできる。
【００６７】
（１−５）掛け数設定ボタン６の種類に応じた復旧表示態様
前述の説明では、復旧時におけるライン数表示ランプ１４の表示態様は、押下操作された掛け数設定ボタン６の種類にかかわらず一律に、「特別演出」において点灯個数「０」を示す表示態様から、又は、「特別演出」において「設定掛け数表示」を示す表示態様から復旧させたが、押下操作された掛け数設定ボタン６の種類に応じて復旧時の表示態様を変えることもできる。例えば、２枚掛けボタン６ｂが押下操作されたときの復旧時は「特別演出」において点灯個数「０」を示す表示態様から復旧させ、３枚掛けボタン６ｃが押下操作されたときの復旧時は「特別演出」において「設定掛け数表示」を示す表示態様から復旧させることもできる。
また、このような復旧時における表示態様は、掛け数表示ランプ１３にも適用することができる。
【００６８】
（１−６）内部抽選処理の結果を示す当選情報に応じた復旧表示態様
復旧時において参照されるＲＡＭの記憶内容には、内部抽選処理の結果を示す当選情報があることから、この当選情報（当選役の種類）に応じてライン数表示ランプ１４の表示態様を変えることもできる。例えば、ボーナス当選を示す当選情報のときの復旧時は「特別演出」において「設定掛け数表示」を示す表示態様から復旧させ、ボーナス当選以外の当選を示す当選情報のときの復旧時は「特別演出」における点灯個数「０」を示す表示態様から復旧させることもできる。
また、ボーナス当選を示す当選情報の中でも当選したボーナスの種類（例えば、ビッグボーナス、レギュラーボーナスなど）に応じてライン数表示ランプ１４の復旧表示態様を変えることもできる。
また、このような復旧時における表示態様は、掛け数表示ランプ１３にも適用することができる。
【００６９】
（１−７）段階的な復旧表示態様
前述の説明では、復旧時におけるライン数表示ランプ１４の表示態様は、「特別演出」における点灯個数「０」を示す表示態様から、又は、「特別演出」において「設定掛け数表示」を示す表示態様からのいずれかの表示態様から復旧させたが、一旦、受信した点灯コマンドに基づいてライン数表示ランプ１４の表示態様を電断直前の状態（電断直前の点灯個数「途中掛け数表示」）から復旧させ、その後すべてのＬＥＤを消灯させてから、「特別演出」における点灯個数「０」を示す表示態様又は「設定掛け数表示」を示す表示態様のいずれかの表示態様に移行させることもできる。
また、復旧時にすべてのＬＥＤの消灯状態を所定時間（例えば３秒）継続させ、その後、「特別演出」における点灯個数「０」を示す表示態様又は「設定掛け数表示」を示す表示態様のいずれかの表示態様からの復旧に移行させることもできる。
また、このような復旧時における表示態様は、掛け数表示ランプ１３にも適用することができる。
【００７０】
（１−８）副制御部でのランプ制御情報の記憶
前述の説明では、電断時において、ランプ制御情報を含むスロットマシン遊技の進行状態を示す遊技情報を主制御部１０が記憶したが、これに加え、副制御部２０にも遊技情報を記憶させることができる。
このようにした場合、副制御部２０は、電断時に記憶したランプ制御情報に基づいて独自にライン数表示ランプ１４の表示態様を電断直前の状態（電断直前の点灯個数）から復旧させることができる。
さらに、副制御部２０が記憶したランプ制御情報と、復旧後に主制御部１０から送信される点灯コマンドとを比較・照合し、照合結果に応じて復旧時の表示態様を変えることもできる。
例えば、副制御部２０が記憶したランプ制御情報が示すＬＥＤの点灯個数と、主制御部１０から送信される点灯コマンドが示すＬＥＤの点灯個数が一致しているときには、副制御部２０は自身が記憶したランプ制御情報に基づいて独自にライン数表示ランプ１４の表示態様を電断直前の状態（電断直前の点灯個数）から復旧させる。
一方、不一致のときには、主制御部１０から送信される点灯コマンドに基づいて「特別演出」における点灯個数「０」を示す表示態様又は「設定掛け数表示」を示す表示態様のいずれかの表示態様から復旧させる。
【００７１】
（１−９）復旧表示態様がエラー演出と時間的に重なるときの対応
復旧時におけるライン数表示ランプ１４の表示態様が所定のエラー演出と時間的に重なる場合がある。前述したように、ライン数表示ランプ１４の復旧表示態様にはスピーカ９からの音出力を伴わせたり、伴わせなかったりすることができる。
ライン数表示ランプ１４の復旧表示態様が所定のエラー演出と時間的に重なる場合、エラーの発生や発生したエラーの種類に応じて、以下に示すように、復旧表示態様の実行又は不実行を制御したり、スピーカ９からの音出力の実行又は不実行を制御したりすることができる。
【００７２】
エラーの種類には、例えば、前扉１ａの開放中を示す扉開放エラー、メダルセレクタ２ｂの異常を示すセレクタエラー、ホッパー７ａの空状態を示すエンプティエラーなどがあり、このようなエラーが発生すると、副制御部２０は、エラー音をスピーカ９から出力させたり、枠ランプ１１を高速で点滅させたりするエラー演出を行う。
【００７３】
電断からの復旧時においてこのようなエラー演出とライン数表示ランプ１４の復旧表示態様とが時間的に重なるときには、例えば、ライン数表示ランプ１４は前述した復旧表示態様から復旧させずに（不実行：「途中掛け数表示」、「設定掛け数表示」を行わずに、例えば、消灯状態とする）、エラー演出を優先させることもできる。または、復旧表示態様を優先させ（実行：「途中掛け数表示」、「設定掛け数表示」を行い、この場合、「ポッ」などの音をスピーカ９から出力させることもできる）、その後にエラー演出を行うこともできる。
【００７４】
また、エラーの種類に応じた制御例として、例えば、扉開放エラーが発生したときには、復旧表示態様の実行又はスピーカ９からの音出力の実行のいずれかのみを行わせ、エンプティエラーが発生したときには、復旧表示態様の実行とスピーカ９からの音出力の実行の双方を行わせ、セレクタエラーが発生したときには、復旧表示態様の実行及びスピーカ９からの音出力の実行の双方を行わせないこともできる。
【００７５】
また、電断からの復旧時において扉開放エラーが発生していないときにはその旨を示す停電エラー演出が行われる。これは、前扉１ａを開放させることでオンオフ操作可能な電源スイッチの「オフ」から「オン」への操作によらない、例えば、停電や瞬停等に起因する電断からの復旧を識別可能とするためである。
このような停電エラー演出が行われるときには、停電エラー演出を優先させ、その後に復旧時におけるライン数表示ランプ１４の表示態様を実行することが好ましい。
なお、復旧時において扉開放エラーの検出を所定時間（例えば３秒）無効とすることもできる。このようにした場合、電源スイッチを「オン」した後、所定時間以内に前扉１ａを閉めたときには、扉開放エラーの検出が有効となった際にエラーが検出されないことになるので、停電エラー演出が行われることになる。
また、以上のような制御は、ライン数表示ランプ１４のみならず、掛け数表示ランプ１３にも適用することができる。
【００７６】
（１−１０）１ゲーム終了後の表示態様
掛け数表示ランプ１３とライン数表示ランプ１４は、リール４１回転中は設定掛け数に対応する個数のＬＥＤが点灯した状態を維持する。また、リール４１がすべて停止するとともに、そのとき停止ボタン５等の操作手段に対する操作がすべて完了（ボタンから手が離れてボタンが押下操作前の状態に復元）しているときには（１ゲームの終了）、その時点から所定時間（例えば、３０秒）経過後に、主制御部１０は掛け数表示ランプ１３をすべて消灯させ、この消灯に基づいて消灯コマンドを副制御部２０に送信する。これを受信した副制御部２０は消灯コマンドに基づいてライン数表示ランプ１４をすべて消灯させることができる。
この所定時間は、主制御部１０がタイマ管理しており、この所定時間中に電断が発生したときには、残り時間をＲＡＭに記憶しその状態を保持する。そして、復旧後は記憶された残り時間からタイマを更新させ、所定時間に達したときに上記の制御が実行されることになる。
【００７７】
なお、掛け数表示ランプ１３とライン数表示ランプ１４とは異なるランプであって、例えば、リール４１を裏面側から照射するバックライト（不図示）に対しても上記と同様な制御が行われる。このバックライトは、主制御部１０により直接制御され、リール４１回転中は点灯状態が維持されるものの、１ゲームの終了から所定時間（例えば、４０秒）経過後に消灯される。また、入賞ライン上に停止した図柄の組合せが特定の組合せのときには（例えばボーナスや小役に対応する図柄の組合せ）、点灯ではなく点滅動作が行われ、１ゲームの終了から所定時間（例えば、３０秒）経過後に点灯状態に移行し、その後、例えば、１０秒経過後に消灯されることになる。
【００７８】
<電断からの復旧時におけるその他の制御>
（１−１１）掛け数設定ボタン６とは異なる他の設定ボタンを設けるときの制御
他の設定ボタンとして、例えば、表示器８において行われる遊技演出や出玉率に影響を及ぼすポイントをゲームごとに掛けることが可能なポイント設定ボタンを設けるような場合がある。電断が発生したときには、掛け数設定ボタン６などの操作手段に対する操作の有無を示す操作情報（すなわち掛け数）がＲＡＭなどに記憶された状態が保持されるが、ポイント設定ボタンを設けた場合には、記憶される操作情報にポイント設定ボタンに対する操作の有無を示す操作情報（すなわち掛けポイント数）を含めることが好ましい。また、ポイント設定ボタンを掛け数設定ボタン６と同様に複数種類設けた場合には、ポイント設定ボタンごとに操作の有無を示す操作情報を記憶することが好ましい。これにより、円滑な復旧が図られる。
【００７９】
また、ポイント設定ボタンに掛け数設定ボタン６としての機能を設けることもでき、例えば、ポイント設定ボタンの操作により、ポイントだけでなく掛け数も掛けることができるように構成することもできる。
さらに、ポイント設定ボタンに掛け数設定ボタン６として機能のみならず、スタートレバー３としての機能を設けることもでき、例えば、ポイント設定ボタンの操作により、ポイントと掛け数を掛けることができるとともに、リール４１の回転を開始するように構成することもできる。
ポイント設定ボタンにこのような複数の機能を兼用させることにより、例えば、リール４１の回転開始後、リール４１が一旦停止する仮停止状態となり、このときに停止表示される図柄の組合せに応じて遊技者に付与される特典が変化するという疑似遊技を、スロットマシン遊技と並行して行うことができる。
疑似遊技は、例えば、アシストタイム（ＡＴ）への移行をかけた遊技とすることができ、ボーナスに対応する図柄の組合せの仮停止により、アシストタイム（ＡＴ）への移行が確定されるなどの疑似遊技を創設することもできる。
このように、ポイント設定ボタンに他の操作手段の機能を兼用させた場合においても、ポイント設定ボタン、掛け数設定ボタン６それぞれの操作情報を記憶することが好ましい。
【００８０】
（１−１２）ライン数表示ランプ１４の復旧表示態様をアシストタイム（ＡＴ）における表示態様に適用したときの制御
停止ボタン５に対する操作の順序を停止ボタンランプ５１や表示器８などの表示手段を用いてナビゲートするアシストタイム（ＡＴ）と称される遊技状態がある。
このアシストタイム中にも電断が発生する場合があり、このような場合には、ライン数表示ランプ１４の表示態様を「特別演出」における「０」を示す表示態様から復旧させるように、表示器８の表示態様を初期ナビゲートを示す表示態様から復旧させることもできる。
【００８１】
例えば、スタートレバー３の操作後、各停止ボタン５に対する操作の順序を示す初期ナビゲート態様（例えば、「停止ボタン５ａ，５ｂ，５ｃの順に操作せよ」などの表示）を表示器８に表示させ、最初に操作すべき停止ボタン５が操作されたときに（例えば、停止ボタン５ａが操作されたときに）電断が発生しその後復旧した場合では、復旧後は、本来であれば２番目に操作すべき停止ボタン５と３番目に操作すべき停止ボタン５のみをナビゲート表示すれば足りるが（例えば、「停止ボタン５ｂ，５ｃの順に操作せよ」などの表示）、改めて初期ナビゲート態様（例えば、「停止ボタン５ａ，５ｂ，５ｃの順に操作せよ」などの表示）から復旧させることもできる。
【００８２】
このような初期ナビゲート態様から復旧させたときに、再度、最初に操作すべき停止ボタン５が操作されたとしても、その停止ボタン５に対応するリール４１は既に停止していることから、スロットマシン遊技に及ぼす影響はないものの、この操作により初期ナビゲート態様から２番目に操作すべき停止ボタン５と３番目に操作すべき停止ボタン５をナビゲート表示する態様（例えば、「停止ボタン５ｂ，５ｃの順に操作せよ」などの表示）に移行することになる。このような移行により、正常な復旧を確認することができる。
なお、主制御部１０により制御される停止ボタンランプ５１は、掛け数表示ランプ１３と同様に、電断直後の表示態様から復旧させることもできるし（上記の例では、停止ボタン５ａに対応するＬＥＤのみ消灯、他は点灯）、上記のように初期ナビゲートを示す表示態様（全灯）から復旧させることもできる。
【００８３】
２．スタートレバーに関する制御
<各操作手段に対する操作が時間的に重なるときの制御>
前述したように、主制御部１０は、精算ボタン２ａ、スタートレバー３、停止ボタン５、掛け数設定ボタン６などの操作手段からの入力情報（例えば、各操作手段に備えるセンサからのオンオフ情報（オン：操作、オフ：未操作））に基づいて、リール４１ａ〜４１ｃやこれらを回転駆動させるパルスモータなどを備えるドラムユニット４、メダル払出装置７などの出力手段を制御することにより、スロットマシン遊技を進行させる。
【００８４】
スロットマシン遊技の進行において、各操作手段に対する操作は以下の順序で行われる。
例えば、最初に、掛け数設定ボタン６が操作されてゲーム開始可能な状態となり、その後、スタートレバー３が操作されることによりリール４１が回転を開始する。リール回転開始から所定時間経過後に停止ボタン５に対する操作が有効となり、有効となった後に、停止ボタン５が操作されることで、リール４１の回転が停止することになる。
このような順序で各操作手段が操作されてスロットマシン遊技が進行することになるが、各操作手段に対する遊技者の操作は、時間的に必ずしも重ならないわけではなく、以下のように、重なる場合もある。
【００８５】
（２−１）スタートレバー３と停止ボタン５に対する操作が時間的に重なるときの制御
例えば、図９（ａ）に示すタイムチャートでは、スタートレバー３に対する操作と停止ボタン５に対する操作が時間的に重ならない場合の操作例を示している。
具体的には、スタートレバー３に対する操作が先に行われるとともに、その後、停止ボタン５に対する操作が行われ、スタートレバー３に対する操作時間と停止ボタン５に対する操作時間とが一方が他方を含むことなくそれぞれ独立した時間として操作された操作例を示している。
これらに対する操作は、通常、この操作例のように時間的に重ならないことが多く、このように操作が時間的に重ならないときには、主制御部１０は、スロットマシン遊技の流れに従い、スタートレバー３が遊技者の傾動操作を受け付けることによりリール４１の回転を開始させるとともに、停止ボタン５が遊技者の押下操作を受け付けることにより、リール４１の回転を停止させる制御を行う。
【００８６】
一方、図９（ｂ）に示すタイムチャートでは、スタートレバー３に対する操作と停止ボタン５に対する操作が時間的に重なる場合の操作例を示している。
具体的には、スタートレバー３に対する操作が先に行われるとともに、その後に停止ボタン５に対する操作が行われ、リール４１が回転中において、スタートレバー３に対する操作時間が停止ボタン５に対する操作時間をすべて含むように操作された操作例を示している。
このような操作例は、遊技者がスタートレバー３に手を置いた状態、すなわち、スタートレバー３が傾動操作されたままの状態を維持しながら、停止ボタン５が操作されたときに発生することの多い事象である。
【００８７】
このように操作が時間的に重なるときであっても、主制御部１０は、スロットマシン遊技の流れに従い、スタートレバー３が遊技者の傾動操作を受け付けることによりリール４１の回転を開始させるとともに、その後、リール４１が回転中において、スタートレバー３が遊技者の傾動操作を継続して受け付けたままであっても、停止ボタン５が遊技者の押下操作を受け付けることにより、リール４１の回転を停止させる制御を行う。
【００８８】
なお、停止ボタン５が遊技者の押下操作を受け付けるまでに、遊技者がスタートレバー３から一旦手を離し、スタートレバー３が操作前の状態に復元することがあったとしても、その後、再びスタートレバー３が遊技者の傾動操作を受け付け、その受け付け中に、停止ボタン５が遊技者の押下操作を受け付けたときにも、主制御部１０は、リール４１の回転を停止させる制御を行う。
また、もちろん、遊技者がスタートレバー３から一旦手を離し、スタートレバー３が操作前の状態に復元した後、スタートレバー３の操作よりも先に、停止ボタン５が遊技者の押下操作を受け付けるとともに、その受け付け中に、スタートレバー３が遊技者の押下操作を受け付けたとしても、主制御部１０は、リール４１の回転を停止させる制御を行うことは言うまでもない。
【００８９】
このように、スタートレバー３に対する操作と停止ボタン５に対する操作が時間的に重なることがあっても、停止ボタン５に対する操作を許容（有効化）してリール４１を停止させることができるので、遊技に疲れた遊技者がスタートレバー３に手を置いたままの状態でもスロット遊技を進行させることができ、遊技者の疲労を軽減させることができる。
また、主制御部１０は、リール４１の回転中においては、スタートレバー３が遊技者の傾動操作を受け付け中か否かにかかわらず、停止ボタン５が操作されたときには、リール４１の回転を停止させる制御を行うので、スタートレバー３からの入力情報（オンオフ情報）を監視したり、入力情報の履歴を管理（記憶）したりする必要がなくなることから、主制御部１０の処理負担が軽減される。
【００９０】
（２−２）操作の時間的な重なりを許容する旨の示唆
また、このように、スタートレバー３に対する操作と停止ボタン５に対する操作が時間的に重なったとしても、停止ボタン５に対する操作が許容され、リール４１を停止させることができることを知らない遊技者も多いことから、その旨を遊技者に示唆することが好ましい。
【００９１】
例えば、図１０（ａ）に示すように、副制御部２０が表示器８を示唆手段として動作させ、例えば、「スタートレバーの操作中でも、停止ボタンを操作するとリールが停止するよ」などのメッセージを表示させることもできる。
このような表示は、スタートレバー３の操作後におけるリール４１の回転中や、各スロットマシン遊技間のインターバル時間、スロットマシン遊技前の呼び込み演出中などに行うことができる。
【００９２】
また、図１０（ｂ）に示すように、主制御部１０が停止ボタンランプ５１を示唆手段として動作させることもできる。
停止ボタンランプ５１は、スタートレバー３の操作後、停止ボタン５に対する操作が許容（有効化）されるタイミングで点灯するように制御されるのが通常であるが、このタイミングで、スタートレバー３が遊技者の傾動操作を受け付け中か否かを問わずに、特に、スタートレバー３が遊技者の傾動操作を受け付け中であっても、停止ボタンランプ５１を点灯させることにより、停止ボタン５が遊技者の押下操作を受け付け可能であることを示唆することができる。
このように、スロットマシン１は、リール４１が回転しているときに、スタートレバー３が遊技者の傾動操作を受け付けていた場合、停止ボタン５が遊技者の押下操作を受け付け可能であることを示唆する示唆手段を備えているので、遊技者がこのような示唆を確認することにより、遊技者は積極的にスタートレバー３に手を置いたままスロットマシン遊技を進行させることができ、遊技者の疲労が軽減される。
【００９３】
また、上記の例では、リール４１が回転しているときに、スタートレバー３が遊技者の傾動操作を受け付けていた場合、停止ボタン５が遊技者の押下操作を受け付けたときには、リール４１の回転を停止させる制御を一律に行うこととしたが、設定掛け数や内部抽選結果などに応じて、以下に示すように、リール４１の回転を停止させないように制御してもよい。
【００９４】
（２−３）設定掛け数に応じてリール４１の回転を停止させない制御
リール４１が回転しているときに、スタートレバー３が遊技者の傾動操作を受け付けていた場合、停止ボタン５が遊技者の押下操作を受け付けたときにおいて、ゲーム開始時に設定された設定掛け数が所定の掛け数のときには、リール４１の回転を停止させ、ゲーム開始時に設定された設定掛け数が特定の掛け数のときには、リール４１の回転を停止させないように制御することもできる。
例えば、設定掛け数が「１」や「２」のときには（特定の掛け数）、リール４１の回転を停止させないように制御し、設定掛け数が「３」のときには（所定の掛け数）、リール４１の回転を停止させるように制御することもできる。
【００９５】
（２−４）内部抽選結果に応じてリール４１の回転を停止させない制御
例えば、「今回の遊技」や「前回の遊技」などにおいて、スタートレバー３の操作に基づいて決定される表示結果に対応する内部抽選処理の結果に応じて、リール４１の回転を停止させたり、停止させなかったりすることもできる。
【００９６】
具体的には、リール４１が回転しているときに、スタートレバー３が遊技者の傾動操作を受け付けていた場合、停止ボタン５が遊技者の押下操作を受け付けたときにおいて、「今回の遊技」において決定された表示結果に対応する内部抽選処理の結果が所定の当選役のときには、リール４１の回転を停止させ、「今回の遊技」において決定された表示結果に対応する内部抽選処理の結果が特定の当選役のときには、リール４１の回転を停止させないように制御することもできる。
例えば、「今回の遊技」においてボーナスに当選したときには（特定の当選役）、リール４１の回転を停止させないように制御し、「今回の遊技」においてハズレを含むボーナス以外に当選したときには（所定の当選役）、リール４１の回転を停止させるように制御することもできる。
これにより、遊技者は少しでも早くボーナス当選が判明することを望むことから、積極的にスタートレバー３を傾動操作させながら、停止ボタン５を押下操作することになり、新たなボーナス告知手段としての利用価値が高まることになる。
なお、ボーナス当選時の制御と、ボーナス以外当選時の制御を逆にしてもよい。
【００９７】
また、リール４１が回転しているときに、スタートレバー３が遊技者の傾動操作を受け付けていた場合、停止ボタン５が遊技者の押下操作を受け付けたときにおいて、「前回の遊技」や「それ以前の遊技」において決定された表示結果に対応する内部抽選処理の結果が所定の当選役のときには、リール４１の回転を停止させ、「前回の遊技」や「それ以前の遊技」において決定された表示結果に対応する内部抽選処理の結果が特定の当選役のときには、リール４１の回転を停止させないように制御することもできる。
【００９８】
例えば、「前回の遊技」において、ボーナスと所定役（例えばチェリーなどの当選率の低い役が好ましい）とに同時に当選する重複役（特定の当選役）に当選し、「前回の遊技」において、所定役に対応する表示結果が停止表示するようにリール４１が制御されたときには、ボーナス当選の持ち越された「今回の遊技」において、スタートレバー３が遊技者の傾動操作を受け付けていた場合、停止ボタン５が遊技者の押下操作を受け付けたときには、リール４１の回転を停止させないように制御する。この場合、ボーナスに対応するボーナス図柄が停止表示しない限り（ボーナス当選持ち越し遊技中は）、スタートレバー３が遊技者の傾動操作を受け付けていた場合に、停止ボタン５が遊技者の押下操作を受け付けても、リール４１の回転を停止させないように制御することが好ましい。
これにより、「前回の遊技」において、チェリーなどの所定役に当選した場合、重複役に当選したのか、それとも単独で所定役に当選したのか不明であることから、今回の遊技では、ボーナス当選の期待を込めて（ボーナスへの期待を煽る）、スタートレバー３を傾動操作したまま、停止ボタン５を操作することになる。
【００９９】
また、「今回の遊技」において、重複役（特定の当選役）に当選したときには、スタートレバー３が遊技者の傾動操作を受け付けていた場合、停止ボタン５が遊技者の押下操作を受け付けたときに、リール４１の回転を停止させないようにすることもできる。
このような操作により、遊技者は重複役の当選を認識できることから、「今回の遊技」において、ボーナスと同時に当選する払い出しの得られる所定役に対応する表示結果で停止するように、慎重に停止ボタン５を操作することになり、所定役の取りこぼしが防止される。
また、この場合、単独で所定役に当選したときにも、スタートレバー３が遊技者の傾動操作を受け付けていた場合、停止ボタン５が遊技者の押下操作を受け付けたときに、リール４１の回転を停止させないことが好ましい。
これにより、重複役に当選したのか、それとも単独で所定役に当選したのか不明であることから、今回の遊技では、ボーナス当選の期待を込めて（ボーナスへの期待を煽る）、スタートレバー３を傾動操作したまま、停止ボタン５を操作することになる。
【０１００】
（２−５）スタートレバー３と停止ボタン５に対する操作に加え、他の操作手段に対する操作が時間的に重なるときの制御
スタートレバー３と停止ボタン５に対する操作に加え、他の操作手段に対する操作がさらに時間的に重なるときは、加わる操作手段の種類や数に応じて、リール４１の回転を停止させたり、停止させなかったりすることもできる。
【０１０１】
例えば、操作時間の重なる操作手段がスタートレバー３と停止ボタン５だけのときには、リール４１の回転を停止させるものの、これに、１枚掛けボタン６ａの操作が加わるときには、リール４１の回転を停止させないように制御することもできる。
また、１枚掛けボタン６ａでは、リール４１の回転を停止させないものの、スタートレバー３と停止ボタン５の操作に３枚掛けボタン６ａの操作が加わったときには、リール４１の回転を停止させるように制御することもできる。
さらに、操作時間の重なる操作手段がスタートレバー３と停止ボタン５と１枚掛けボタン６ａのときには、リール４１の回転を停止させないように制御するものの、これに、３枚掛けボタン６ａの操作が加わったときには、リール４１の回転を停止させるように制御することもできる。
なお、上記において、操作時間の重なる操作手段がスタートレバー３と停止ボタン５であることを前提に説明したが、これらの操作手段を他の操作手段に置き換えることもできる。
【０１０２】
（２−６）その他の操作手段に対する操作が時間的に重なるときの制御
（２−１）〜（２−５）の説明では、スタートレバー３と停止ボタン５に対する操作の時間的な重なりについて説明したが、その他の操作手段に対する操作が時間的に重なるときの制御について以下に説明する。
【０１０３】
例えば、図１１（ａ）に示すタイムチャートでは、リール４１の回転中において、掛け数設定ボタン６（例えば、３枚掛けボタン６ｃ）に対する操作と停止ボタン５に対する操作が時間的に重なる場合の操作例を示している。
具体的には、３枚掛けボタン６ｃが先に操作されるとともに、３枚掛けボタン６ｃに対する操作時間が停止ボタン５に対する操作時間をすべて含むように操作された操作例を示している。
これらに対する操作は、通常、時間的に重ならないことが多いが、遊技中における表示器８の演出において、３枚掛けボタン６ｃ（マックスベットボタン）を押下操作させることを示唆することがあるので、このような演出において発生することの多い事象である。
このように、それぞれの操作が時間的に重なるときであっても、主制御部１０は、スロットマシン遊技の流れに従い、リール４１の回転中において、掛け数設定ボタン６が遊技者の押下操作を受け付けたままであっても、停止ボタン５が遊技者の押下操作を受け付けることにより、リール４１の回転を停止させる制御を行う。
【０１０４】
また、図１１（ｂ）に示すタイムチャートでは、リール４１の回転中において、精算ボタン２ａに対する操作と停止ボタン５に対する操作が時間的に重なる場合の操作例を示している。
具体的には、精算ボタン２ａが先に操作されるとともに、精算ボタン２ａに対する操作時間が停止ボタン５に対する操作時間をすべて含むように操作された場合（１回目）と、それぞれの操作時間が重ならないように操作された場合（２回目）の操作例を示している。
精算ボタン２ａは、遊技者の操作を受け付け可能な操作手段（第３操作手段）であり、これが押下操作されると、主制御部１０が解除手段として動作し、内部的に記憶されたクレジットメダルをメダル払出口７ｂから払い出す（返却する）とともに、設定掛け数があるときには設定が解除（クリア）される。また、精算ボタン２ａに対する操作は、通常、他の操作手段に比べて優先されるようになっている。
【０１０５】
このような理由から、主制御部１０は、リール４１の回転中において、精算ボタン２ａが遊技者の押下操作を先に受け付けていた場合において、停止ボタン５が遊技者の押下操作を受け付けたときには（図１１（ｂ）に示す停止ボタン５に対する１回目の操作）、リール４１の回転を停止させない制御を行う。また、この場合、リール４１の回転中であることを理由に、精算ボタン２ａの押下操作に基づくクレジットメダル等を払い出す動作は行わないことが好ましい。
そして、主制御部１０は、リール４１の回転中において、精算ボタン２ａが遊技者の押下操作を受け付けていない場合において、停止ボタン５が遊技者の押下操作を受け付けたときには（図１１（ｂ）に示す停止ボタン５に対する２回目の操作）、リール４１の回転を停止させる制御を行う。この場合でも、リール４１の回転中であることを理由に、精算ボタン２ａの押下操作に基づくクレジットメダル等を払い出す動作は行わないことが好ましい。
このように、精算ボタン２ａが遊技者の押下操作を先に受け付けていた場合、停止ボタン５が遊技者の押下操作を受け付けたとしても、リール４１の回転が停止しないことから、精算ボタン２ａは停止ボタン５よりも操作の優先度が高い操作手段と言える。
【０１０６】
このような特性を有する精算ボタン２ａは、停止ボタン５のみならず、他の操作手段よりも操作の優先度が高い。
例えば、図１２（ａ）に示すタイムチャートでは、リール４１の停止中において、精算ボタン２ａに対する操作と掛け数設定ボタン６（例えば３枚掛けボタン６ｃ）に対する操作が時間的に重なる場合の操作例を示している。
具体的には、精算ボタン２ａが先に操作されるとともに、精算ボタン２ａに対する操作時間が３枚掛けボタン６ｃに対する操作時間をすべて含むように操作された場合（１回目）と、それぞれの操作時間が重ならないように操作された場合（２回目）の操作例を示している。
主制御部１０は、精算ボタン２ａが遊技者の押下操作を先に受け付けていた場合において、３枚掛けボタン６ｃが遊技者の押下操作を受け付けたときには（図１２（ａ）に示す３枚掛けボタン６ｃに対する１回目の操作）、ゲーム開始可能な状態に移行させないように制御し、精算ボタン２ａが遊技者の押下操作を受け付けていない場合において、３枚掛けボタン６ｃが遊技者の押下操作を受け付けたときには（図１２（ａ）に示す３枚掛けボタン６ｃに対する２回目の操作）、ゲーム開始可能な状態に移行するように制御する。この場合、リール４１の停止中であることから、精算ボタン２ａの押下操作に基づくクレジットメダル等を払い出す動作を行うことが好ましい。
【０１０７】
精算ボタン２ａは、他の操作手段よりも操作の優先度が高いものの、他の操作手段が遊技者の操作を先に受け付けていた場合には、他の操作手段に対する操作が優先される。
例えば、図１２（ｂ）に示すタイムチャートでは、リール４１の停止中において、掛け数設定ボタン６（例えば３枚掛けボタン６ｃ）に対する操作と精算ボタン２ａに対する操作が時間的に重なる場合の操作例を示している。
具体的には、３枚掛けボタン６ｃが先に操作されるとともに、３枚掛けボタン６ｃに対する操作時間が精算ボタン２ａに対する操作時間をすべて含むように操作された場合の操作例を示している。
主制御部１０は、３枚掛けボタン６ｃが遊技者の押下操作を先に受け付けていた場合において、精算ボタン２ａが遊技者の押下操作を受け付けたときには、３枚掛けボタン６ｃが遊技者の押下操作を受け付けたときに、ゲーム開始可能な状態に移行するように制御し、精算ボタン２ａの押下操作に基づくクレジットメダル等を払い出す動作は行わない。
【０１０８】
また、前述したように、停止ボタン５の押下操作よりも先に精算ボタン２ａが遊技者の押下操作に受け付けていた場合については、リール４１の回転が停止しないものの、停止ボタン５の押下操作よりも先に精算ボタン２ａ以外の操作手段が遊技者の操作を受け付けていた場合について、以下に説明する。
精算ボタン２ａ以外の操作手段が停止ボタン５の押下操作よりも先に遊技者の操作に受け付けていた場合として、例えば、図１２（ｃ）に示すタイムチャートのように、停止ボタン５の押下操作よりも先に掛け数設定ボタン６（例えば３枚掛けボタン６ｃ）が遊技者の押下操作を受け付けるとともに、掛け数設定ボタン６に対する操作時間が停止ボタン５に対する操作時間をすべて含むように操作される場合がある。このような場合、主制御部１０は、精算ボタン２ａ以外の操作手段は停止ボタン５よりも操作の優先度が低い操作手段として扱い、停止ボタン５が遊技者の押下操作を受け付けることにより、リール４１の回転を停止させる制御を行う。このように、精算ボタン２ａ以外の操作手段が停止ボタン５の押下操作よりも先に遊技者の操作を受け付けるとともに、停止ボタン５に対する操作時間をすべて含むように操作されたとしても、主制御部１０は、リール４１の回転を停止させる制御を行う。
【０１０９】
なお、今回の遊技を終了させ、次回の遊技を行うことを可能とするためには、今回の遊技においてすべての操作手段に対する操作を終了させることが条件となる。
例えば、図１２（ｃ）に示すタイムチャートでは、停止ボタン５に対する操作は終了しているものの、掛け数設定ボタン６（例えば３枚掛けボタン６ｃ）が遊技者の押下操作を受け付け中であることを示す操作例（３枚掛けボタン６ｃに対する１回目の操作）を示している。この場合、停止ボタン５の押下操作によりリール４１は停止中であり、今回の遊技は事実上終了しているものの（例えば、有効ライン上に小役に対応する図柄の組合せが停止表示されているときには、所定数のメダルの払い出しが行われる）、遊技者が掛け数設定ボタン６から手を離さない限り、次回の遊技を行うことができない状態となっている。このような状態は、掛け数設定ボタン６に限らず、停止ボタン５についても同様であり、停止ボタン５に対してその操作を終了させない限り継続することになる。
そして、遊技者が掛け数設定ボタン６から一旦手を離すことにより、主制御部１０は入力情報（オフ情報）からこれを認識し、今回の遊技の終了を確定させる制御を行う。さらに、その後、掛け数設定ボタン６が遊技者の押下操作を受け付けることにより（３枚掛けボタン６ｃに対する２回目の操作）、次回の遊技が開始可能な状態となる。
このように、今回の遊技を終了させ、次回の遊技を行うことを可能とするために、今回の遊技においてすべての操作手段に対する操作を終了させることを条件とすることにより、遊技者が意図せずに遊技を進行するという不利益を回避することができる。
【０１１０】
<電断時において保持する遊技情報にスタートレバー操作に関する操作情報を含めない制御>
（２−７）電断時においてスタートレバー操作に関する操作情報を保持しない制御
前述のように、主制御部１０は、スタートレバー３が遊技者の傾動操作を受け付け中か否かにかかわらず、停止ボタン５が操作されたときには、リール４１の回転を停止させる制御を行う。特に、リール４１の回転開始後は、スタートレバー３に対する遊技者の操作を監視する必要がないことから、スロットマシン遊技において、リール４１の回転開始後は、スタートレバー４が操作中又は操作済みであることを示す操作情報を参照する必要はない。すなわち、停止ボタン５の状態を判定する処理を行う前において、スタートレバー３の状態を判定する処理を行わなくてもよい。また、１ゲームの期間中（リールの回転開始から全リール停止までの期間中等）は、スタートレバー３の状態を判定する処理を行わなくてもよい。
そこで、主制御部１０は、電断が発生したときに遊技情報保持手段として動作するにあたり、停止ボタン５や掛け数設定ボタン６などの操作手段に対する操作の有無を示す操作情報を記憶するときに、以下に示すように、記憶すべき操作情報の中に、スタートレバー４が操作中又は操作済みであることを示す操作情報を含めない。
【０１１１】
例えば、図１３（ａ），（ｂ）は、それぞれ１バイトの記憶容量を有する２つのアドレス（７ＦＦＤ，７ＦＦＣ）に、各操作手段に対する操作の有無を示す操作情報（例えば、「１」は操作中又は操作済みを示し、「０」は未操作を示す）を記憶させた場合の例を示している。
具体的には、７ＦＦＤのアドレスには、停止ボタン５ａ〜５ｃ、掛け数設定ボタン６ａ〜６ｃに対する操作の有無を示す操作情報を１ビット単位で記憶し、７ＦＦＣのアドレスには、スタートレバー３、精算ボタン２ａに対する操作の有無を示す操作情報を１ビット単位で記憶する。
【０１１２】
主制御部１０は、電断が発生したときに、アドレス「７ＦＦＤ」に記憶される、停止ボタン５ａ〜５ｃ、掛け数設定ボタン６ａ〜６ｃに対する操作の有無を示す操作情報のみを記憶した状態を保持（バックアップ）する制御を行い、アドレス「７ＦＦＣ」に記憶される、スタートレバー３、精算ボタン２ａに対する操作の有無を示す操作情報は、記憶した状態を保持することなく放置（破棄）する制御を行う。
このような制御は、例えば、電断が発生したときに、バックアップ用電源からの電力をアドレス「７ＦＦＤ」に供給し、少なくともアドレス「７ＦＦＣ」には電力を供給しないことにより実現できる。
また、このような制御は、主制御部１０が行う電断処理において、バックアップ用電源から電力の供給される電断用記憶領域（バックアップ領域）に、アドレス「７ＦＦＤ」の記憶内容を転送するとともに、アドレス「７ＦＦＣ」の記憶内容を電断用記憶領域に転送しないことにより実現することもできる。また、主制御部１０が電断からの復旧時に行う電断復旧処理では、電断用記憶領域に記憶されている記憶内容を、アドレス「７ＦＦＤ」に転送することにより、復旧時においてはこのアドレス「７ＦＦＤ」に記憶されていた操作情報に基づいて、スロットマシン遊技を再開させる。
この場合、スタートレバー３に関する操作情報は記憶されないことから、例えば、スタートレバー３の操作直後（リール４１の回転開始前）に電断が発生したときには、復旧時からリール４１が回転することはないが、スタートレバー３の操作前に電断が発生したものと遊技者が認識し、再度、スタートレバー３を操作すればリール４１が回転を開始することから、遊技者に違和感を与えたり、大きな問題が生じたりすることはない。
また、このように、アドレス「７ＦＦＣ」の記憶内容を電断用記憶領域に転送しないことにより、電断用記憶領域が削減できる。
【０１１３】
上記の例では、各操作手段に対する操作の有無を示す操作情報を、２つのアドレス（７ＦＦＤ，７ＦＦＣ）に分けて記憶したが、図１４に示すように、１つのアドレス（７ＦＦＤ）にまとめて記憶することもできる。この場合、主制御部１０は、少なくともスタートレバー３に対応するビット（１ビット目）の情報を、電断が発生したときに記憶すべき操作情報の中に含めないことが好ましい。
【０１１４】
また、上記の例では、各操作手段に対する操作の有無を示す操作情報をビット単位で記憶したが、図１５に示すように、アドレス単位で記憶することもできる。この場合、主制御部１０は、少なくともスタートレバー３に対応するアドレス（７ＦＦＤ）の情報を、電断が発生したときに記憶すべき操作情報の中に含めないことが好ましい。
【０１１５】
以上説明したように、電断が発生したときに記憶すべき操作情報の中に、スタートレバー４が操作中又は操作済みであることを示す操作情報を含めないことが好ましいが、含めてもよい。含めることにより、例えば、スタートレバー３の操作直後（リール４１の回転開始前）に電断が発生したときには、スタートレバー３に関する操作情報が記憶されることから、復旧時からリール４１を回転させることができる。
【０１１６】
（２−８）判定用情報の中にスタートレバー操作に関する操作情報を含めない制御
また、主制御部１０は、電断が発生したときに遊技情報保持手段として動作するときに、そのときのスロットマシン遊技の進行状態を示す遊技情報を記憶するとともに、この遊技情報の正当性を判定するための判定用情報（以下の電断時判定用情報）を記憶する。
判定用情報は、電断時判定用情報と復旧時判定用情報とがあり、主制御部１０が判定用情報算出手段として動作することにより、電断時と復旧時にそれぞれが算出される。
【０１１７】
電断時判定用情報は、電断が発生したときに記憶すべき遊技情報を一つの数字として表したもので、例えば、電断が発生したときに記憶すべき遊技情報の合計値（チェックサム）とすることができる。
そして、主制御部１０は、この電断時判定用情報（電断時チェックサム）を算出するときには、少なくともスタートレバー３の操作に関する操作情報を含めない。
具体的には、主制御部１０は電断時判定用情報（電断時チェックサム）の算出にあたり、例えば、図１３に示す例では、７ＦＦＤアドレスの各ビットの和は合計値に算入されるものの、７ＦＦＣアドレスの各ビットの和は算入しない。また、図１４に示す例では、１ビット目の値を算入させず、図１５に示す例では、７ＦＦＤアドレスの各ビットの和は算入させない。
一方、復旧時判定用情報は、電断中に記憶していた遊技情報の合計値（復旧時チェックサム）であり、復旧時判定用情報（復旧時チェックサム）を算出するときには、電断時と同様に、少なくともスタートレバー３の操作に関する操作情報を含めない。例えば、図１３に示す例では、７ＦＦＤアドレスの各ビットの和は合計値に算入されるものの、７ＦＦＣアドレスの各ビットの和は算入しない。また、図１４に示す例では、１ビット目の値を算入させず、図１５に示す例では、７ＦＦＤアドレスの各ビットの和は算入させない。
このように、判定用情報（チェックサム）の算出にあたり、スタートレバー３の操作に関する操作情報を含めないことにより、主制御部１０の処理負担が軽減される。
なお、スタートレバー３が第１操作手段として動作するだけでなく、これに加え掛け数設定手段として動作するスロットマシンでは、１回目の操作で掛け数の設定を行い、２回目の操作でリール４１が回転を開始することになるが、このようなスロットマシンでは、各回の操作をそれぞれ操作情報として記憶するとともに、判定用情報として記憶することが好ましい。
【０１１８】
また、主制御部１０は、正当性判定手段として動作し、電断からの復旧時において、判定用情報が正当か否かの判定を行う。正当か否かの判定は、電断時判定用情報と復旧時判定用情報とが一致しているか否かにより行う。一致は肯定の判定がなされたものとし、主制御部１０は、復旧手段として動作し、電断中に記憶していた遊技情報に基づいて電断前における遊技可能な状態からスロットマシン遊技を復旧させる。
一方、不一致は否定の判定がなされたものとし、所定の初期値に基づいて初期状態からスロットマシン遊技を復旧させる。これは、電断中に記憶していた遊技情報が何らかの影響を受けて破壊されたものと判断できるからである。
【０１１９】
（２−９）ボーナス当選後のボーナス図柄停止表示前の電断発生及び復旧時の制御
主制御部１０は、内部抽選処理においてボーナスに当選したときには、これに対応する制御コマンドとしてボーナス当選コマンドを、例えば、スタートレバー３が操作されたタイミングあたりで、副制御部２０に送信する。
副制御部２０は、ボーナス当選コマンドを受信すると、例えば、告知ランプ１５に備えるＬＥＤを点灯させる制御を行い、遊技者にボーナス当選を報知する。
報知タイミングは、（ａ）スタートレバー３が操作されたタイミング、（ｂ）１又は２以上のリール４１の回転が停止したタイミング、（ｃ）遊技者がすべての停止ボタン５から手を離したゲーム終了のタイミングなどがあり、これらのタイミングは副制御部２０が抽選等により決定することもできるが、主制御部１０がこのタイミングを指定するようにボーナス当選コマンドを送信することもできる。
【０１２０】
上記の（ｂ）又は（ｃ）のタイミングでボーナス当選の報知を行うことを副制御部２０が決定していた場合、リール４１の回転中であってその報知タイミングの到来前に電断が発生したときには、副制御部２０は、復旧時に主制御部１０から送信されるボーナス当選コマンドに基づいて、（ｂ）又は（ｃ）のタイミングを問わず、ボーナス当選コマンド受信直後からボーナス当選の報知を行う。これは、副制御部２０は、電断時において報知タイミングを記憶していないためである。
また、復旧時には、主制御部１０よりも副制御部２０の方が早く電断前の状態に復旧するとともに、停止ボタン５に対する操作が有効化されるタイミングは、ボーナス当選コマンドの送信後であることから、遊技者にボーナス当選が報知された後に、停止ボタン５に対する操作が有効化されることになる。
これにより、復旧時においては、リール４１の回転中から復旧するとともに、そのときには遊技者にボーナス当選が報知されることになることから、遊技者はボーナス図柄が停止表示するように停止ボタン５を迷わず操作することができる。
【０１２１】
以上説明したように、本実施形態のスロットマシン１は、電断からの復旧時において、ライン数表示ランプ１４が「特別演出」において点灯個数「０」を示す表示態様から復旧、又は、「特別演出」において「設定掛け数表示」を示す表示態様から復旧するので、掛け数がさらに追加されるような錯覚を遊技者に与えることが解消され、電断が発生したとしても掛け数について混乱を生じさせることが防止される。
また、スタートレバー３に対する操作と停止ボタン５に対する操作が時間的に重なることがあっても、停止ボタン５に対する操作を許容してリール４１を停止させることができるので、遊技に疲れた遊技者がスタートレバー３に手を置いたままの状態でもスロット遊技を進行させることができ、遊技者の疲労を軽減させることができる。
また、チェックサムなどの判定用情報の算出にあたり、スタートレバー３の操作に関する操作情報を含めないことにより、電断発生時や復旧時における主制御部１０の処理負担が軽減される。
【０１２２】
一方、従来の遊技機（例えば、特開２０１４−３０６１９参照）では、電断からの復旧時において、電断前に記憶していた遊技情報に基づいて、電断により中断した段階から復旧させるように制御される。
掛け数（ＢＥＴ数）を段階的に表示する特別演出において、中断した段階から復旧させたときには、遊技者が意図した数以上に掛け数を掛けたように認識させてしまう等、掛け数に関して混乱させてしまうおそれがあった。
【０１２３】
また、従来の遊技機（例えば、特開２００８−４３６８４参照）では、電源基板からの電力供給が途絶えたとき、ＲＡＭに記憶されている、遊技進行に係る情報（バックアップされるデータ）を示す値を合算することでチェックサムを算出し、電源基板からの電源供給が再開したときに、当該チェックサムを用いてバックアップされたデータの正当性を判定し、正当性が確認されたことを条件に、当該バックアップされたデータに基づいて復旧することについて記載されているものの、復旧に際してスタートレバーに関する操作情報などの不必要な情報までチェックサムに含まれてしまうことから、電断発生に係る処理に負担がかかってしまい、改善の余地があった。
本実施形態のスロットマシン１によれば、従来の遊技機が改善すべきこのような課題の全部又は一部などを解決することができる。
【０１２４】
以上、本発明の遊技機の好ましい実施形態について説明したが、本発明に係る遊技機は上述した実施形態にのみ限定されるものではなく、本発明の範囲で種々の変更実施が可能であることはいうまでもない。
【０１２５】
例えば、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【０１２６】
また、本実施形態では、変動表示手段としてモータにより駆動制御されるリールを用いたが、これに代えて又はこれに加えて、液晶表示器などの表示器にリール等の図柄が変動する画像を表示させることにより、表示器を識別情報の変動表示手段として用いることもできる。
【０１２７】
また、以上の説明から、以下に示す発明を抽出することもできる。
（１）遊技者の操作を受け付けることが可能な第１操作手段と、所定の遊技用価値を用いて１回の遊技に対して所定数の掛け数を設定可能な掛け数設定手段と、前記掛け数設定手段により所定数の掛け数が設定された状態において、前記第１操作手段が操作を受け付けたことに基づいて、所定の識別情報を変動表示させることが可能な変動表示手段と、を備えた遊技機において、遊技者の操作を受け付けることが可能な第２操作手段と、前記変動表示手段において識別情報が変動表示しているときに、前記第２操作手段が操作を受け付けたことに基づいて、当該識別情報を停止表示させることが可能な停止表示制御手段と、前記停止表示制御手段により、識別情報が停止表示されることを条件に、遊技者に所定の利益を付与可能な利益付与手段と、前記遊技機への電力供給が停止されたことに基づいて、遊技に関する情報の少なくとも一部である遊技情報を保持可能な遊技情報保持手段と、前記遊技情報保持手段により保持される遊技情報の正当性を判定するための判定用情報を、当該遊技情報に基づいて算出する判定用情報算出手段と、前記遊技機への電力供給が開始されたことに基づいて、前記遊技情報保持手段により保持された遊技情報が正当か否かの判定を、前記判定用情報算出手段により算出された判定用情報に基づいて行う正当性判定手段と、前記正当性判定手段により肯定的な判定がされた場合に、前記遊技情報保持手段により保持された遊技情報に基づいて、前記遊技機を遊技可能な状態に復旧させる復旧手段と、を備え、前記停止表示制御手段は、前記変動表示手段において識別情報が変動表示しており、且つ、前記第１操作手段が操作を受け付けている場合に、前記第２操作手段が操作を受け付けたことに基づいて、当該識別情報を停止表示することが可能であり、前記判定用情報算出手段は、前記第１操作手段が受け付けた操作に関する情報を前記判定用情報に含めないことを特徴とする遊技機。
【０１２８】
（２）前記変動表示手段において識別情報が変動表示しているときに、前記第１操作手段が操作を受け付けていた場合、前記第２操作手段が操作を受け付け可能であることを示唆する示唆手段を備えたことを特徴とする（１）記載の遊技機。
【０１２９】
（３）前記掛け数設定手段は、複数種類の掛け数の中からいずれかの掛け数を設定可能であり、前記停止表示制御手段は、前記変動表示手段において識別情報が変動表示しており、且つ、前記第１操作手段が操作を受け付けている場合に、前記第２操作手段が操作を受け付けたことに基づいて、前記掛け数設定手段により設定された掛け数に応じて、当該識別情報を停止表示しないように、前記変動表示手段を制御可能であることを特徴とする（１）又は（２）記載の遊技機。
【０１３０】
（４）前記掛け数設定手段により所定数の掛け数が設定された状態で、前記第１操作手段が操作を受け付けたことに基づいて、停止表示を許容する識別情報の表示結果を停止表示前に事前に決定する事前決定手段を備え、前記停止表示制御手段は、前記変動表示手段において識別情報が変動表示しており、且つ、前記第１操作手段が操作を受け付けている場合に、前記第２操作手段が操作を受け付けたことに基づいて、前記事前決定手段により今回の遊技において決定された表示結果に応じて、当該識別情報を停止表示しないように、前記変動表示手段を制御可能であることを特徴とする（１）〜（３）のいずれかに記載の遊技機。
【０１３１】
（５）前記掛け数設定手段により所定数の掛け数が設定された状態で、前記第１操作手段が操作を受け付けたことに基づいて、停止表示を許容する識別情報の表示結果を停止表示前に事前に決定する事前決定手段を備え、前記停止表示制御手段は、前記変動表示手段において識別情報が変動表示しており、且つ、前記第１操作手段が操作を受け付けている場合に、前記第２操作手段が操作を受け付けたことに基づいて、前記事前決定手段により今回の遊技よりも以前の遊技において決定された表示結果に応じて、当該識別情報を停止表示しないように、前記変動表示手段を制御可能であることを特徴とする（１）〜（４）のいずれかに記載の遊技機。
【０１３２】
（６）遊技者の操作を受け付けることが可能な第３操作手段と、前記第３操作手段が操作を受け付けたことに基づいて、前記掛け数設定手段による設定を解除することが可能な解除手段と、を備え、前記停止表示制御手段は、前記変動表示手段において識別情報が変動表示しており、且つ、前記第３操作手段が操作を受け付けている場合に、前記第２操作手段が操作を受け付けたことに基づいて、当該識別情報を停止表示しないように、前記変動表示手段を制御することを特徴とする（１）〜（５）のいずれかに記載の遊技機。
【符号の説明】
【０１３３】
１  スロットマシン
２ａ  精算ボタン（第３操作手段）
３  スタートレバー（第１操作手段）
５  停止ボタン（第２操作手段）
８  表示器（示唆手段）
９  スピーカ（音声出力手段）
１０  主制御部（遊技制御手段、掛け数設定手段、遊技実行手段、停止制御手段、利益付与手段、遊技情報保持手段、判定用情報算出手段、正当性判定手段、復旧手段、解除手段）
１３  掛け数表示ランプ（表示手段）
１４  ライン数表示ランプ（表示手段、特定表示手段）
２０  副制御部（演出制御手段）
４１  リール（変動表示手段）
５１  停止ボタンランプ（示唆手段）
【図１】
0006685486.tif 000002
【図２】
0006685486.tif 000003
【図３】
0006685486.tif 000004
【図４】
0006685486.tif 000005
【図５】
0006685486.tif 000006
【図６】
0006685486.tif 000007
【図７】
0006685486.tif 000008
【図８】
0006685486.tif 000009
【図９】
0006685486.tif 000010
【図１０】
0006685486.tif 000011
【図１１】
0006685486.tif 000012
【図１２】
0006685486.tif 000013
【図１３】
0006685486.tif 000014
【図１４】
0006685486.tif 000015
【図１５】
0006685486.tif 000016